(57)【要約】【課題】表示パネルを構成する各表示画素の配置位置に関わらず、信号配線の寄生容量や配線抵抗に起因する表示データの書込率の低下を抑制して、均一な輝度階調で発光素子を発光動作させ、表示画質の改善を図ることができる表示駆動装置及び表示装置並びにその駆動制御方法を提供する。【解決手段】表示装置１００は、複数の表示画素ＥＭがマトリクス状に配列された表示パネル１１０と、行ごとの表示画素ＥＭを選択状態に設定する走査ドライバ１２０と、所定のタイミングで各データラインＤＬへ階調電流Ｉｐｉｘを供給するデータドライバ１３０と、を備え、各表示画素ＥＭへの表示データの書込動作に際し、当該表示画素ＥＭの表示パネル１１０上での配置位置に応じて、階調電流の電流値を補正制御することにより、いずれの位置に配置された表示画素においても、表示データの書込率が均一化されるように制御される。【選択図】  図７
2004341267.tif 000002
【特許請求の範囲】
【請求項１】
互いに直交する複数の信号ライン及び複数の走査ラインと、該各信号ラインと各走査ラインの交点近傍に配置される、電流制御型の発光素子を備える複数の表示画素と、を備える表示パネルの該各表示画素に、前記各信号ラインを介して表示データの輝度階調に基づく階調電流を供給し、該階調電流によって前記表示画素に書き込まれる電荷量に基づいて前記各発光素子を発光動作させる表示駆動装置において、
前記表示データの輝度階調範囲の少なくとも一部において、前記階調電流によって前記各表示画素に供給される供給電荷量に対して、該各表示画素に書き込まれる電荷量の割合が一定となる方向に補正する補正手段を備えることを特徴とする表示駆動装置。
【請求項２】
前記補正手段は、前記表示データの全輝度階調範囲において、前記補正を行うことを特徴とする請求項１記載の表示駆動装置。
【請求項３】
前記補正手段は、少なくとも、前記表示パネルにおける、前記信号ラインの、前記表示駆動装置から該表示画素までの間に寄生する容量成分に基づいて、前記階調電流を調整制御する電流供給制御手段を備えることを特徴とする請求項１又は２記載の表示駆動装置。
【請求項４】
前記電流供給制御手段は、前記表示画素の各々に供給する前記階調電流の電流値を調整制御する手段を備えることを特徴とする請求項３記載の表示駆動装置。
【請求項５】
前記電流供給制御手段は、前記表示画素の各々に前記階調電流を供給する際に、該表示画素を選択状態に設定する選択期間の時間幅を調整制御する手段を備えることを特徴とする請求項３又は４のいずれかに記載の表示駆動装置。
【請求項６】
前記電流供給制御手段は、前記選択期間の時間幅を、前記表示画素の各々に前記階調電流を供給する一定の時間幅を有する電流供給期間内で調整制御する手段を備えることを特徴とする請求項５記載の表示駆動装置。
【請求項７】
前記電流供給制御手段は、前記表示画素の各々に前記階調電流を供給する際に、該表示画素に前記階調電流を供給する電流供給期間の時間幅を調整制御する手段を備えることを特徴とする請求項３に記載の表示駆動装置。
【請求項８】
前記電流供給制御手段は、前記電流供給期間の時間幅を、前記表示画素の各々を選択状態に設定する一定の時間幅を有する選択期間内で調整制御する手段を備えることを特徴とする請求項７記載の表示駆動装置。
【請求項９】
前記電流供給制御手段は、前記表示パネルにおける前記表示画素の、前記表示駆動装置から該表示画素までの、前記信号ラインに沿う配置位置と前記階調電流の調整制御に係る補正係数とを関連付けた補正テーブルを備え、前記表示画素の配置位置に基づいて、前記補正テーブルを参照することにより一義的に決定された前記補正係数を用いて、前記階調電流を調整制御する手段を備えることを特徴とする請求項３乃至８のいずれかに記載の表示駆動装置。
【請求項１０】
前記電流供給制御手段は、前記表示画素の配置位置に基づいて、前記補正テーブルから抽出された前記補正係数を、所定の基準値に乗算することにより、前記階調電流を調整制御する手段を備えることを特徴とする請求項９記載の表示駆動装置。
【請求項１１】
前記電流供給制御手段は、前記表示画素の各々に前記階調電流を供給する動作に先立って、前記表示画素に、特定のリセット信号を印加して、少なくとも、該表示画素に蓄積された電荷を放電して初期化する手段を備えることを特徴とする請求項３乃至１０のいずれかに記載の表示駆動装置。
【請求項１２】
互いに直交する複数の信号ライン及び複数の走査ラインと、該各信号ラインと各走査ラインの交点近傍に配置される、電流制御型の発光素子を備える複数の表示画素と、を備える表示パネルの前記各表示画素に、前記各信号ラインを介して、表示データの輝度階調に基づく階調電流を供給し、該階調電流によって前記表示画素に書き込まれる電荷量に基づいて前記各発光素子を発光動作させて、前記表示パネルに所望の画像情報を表示する表示装置において、
少なくとも、
前記表示パネルの前記複数の走査ラインに順次走査信号を印加して、前記表示画素を所定の選択期間毎に順次選択状態に設定する走査駆動回路と、
前記選択期間毎に、前記表示パネルの前記各信号ラインに前記階調電流を印加して、該階調電流を前記各表示画素に供給する信号駆動回路と、
を具備し、
前記表示データの輝度階調範囲の少なくとも一部において、前記階調電流によって前記各表示画素に供給される供給電荷量に対して、該各表示画素に書き込まれる電荷量の割合が一定となる方向に補正する補正手段を備えることを特徴とする表示装置。
【請求項１３】
前記補正手段は、前記表示データの全輝度階調範囲において、前記補正を行うことを特徴とする請求項１２記載の表示装置。
【請求項１４】
前記補正手段は、少なくとも、前記表示パネルにおける、前記信号駆動装置から前記表示画素までの間に寄生する容量成分に基づいて、前記階調電流を調整制御する電流供給制御手段を備えることを特徴とする請求項１２又は１３記載の表示装置。
【請求項１５】
前記電流供給制御手段は、前記信号駆動回路における、前記表示パネルにおける前記表示画素の、該信号駆動回路から該表示画素までの、前記信号ラインに沿う配置位置に応じて、該表示画素の各々に供給する前記階調電流の電流値を調整制御する手段を備えることを特徴とする請求項１４記載の表示装置。
【請求項１６】
前記電流供給制御手段は、前記信号駆動回路において、前記表示画素の各々に前記階調電流を供給する際に、前記表示パネルにおける前記表示画素の、前記信号駆動回路から該表示画素までの、前記信号ラインに沿う配置位置に応じて、該表示画素に前記階調電流を供給する電流供給期間の時間幅を調整制御する手段を備えることを特徴とする請求項１４記載の表示装置。
【請求項１７】
前記電流供給制御手段は、前記電流供給期間の時間幅を、前記表示画素の各々を選択状態に設定する前記選択期間内で調整制御することを特徴とする請求項１６記載の表示装置。
【請求項１８】
前記電流供給制御手段は、前記走査駆動回路において、前記信号駆動回路より前記表示画素の各々に前記階調電流を供給する際に、前記表示パネルにおける前記表示画素の、前記信号駆動装置から該表示画素までの、前記信号ラインに沿う配置位置に応じて、前記選択期間の時間幅を調整制御する手段を備えることを特徴とする請求項１４記載の表示装置。
【請求項１９】
前記電流供給制御手段は、前記選択期間の時間幅を、前記信号駆動回路より前記表示画素の各々に前記階調電流を供給する一定の時間幅を有する電流供給期間内で調整制御することを特徴とする請求項１８記載の表示装置。
【請求項２０】
前記電流供給制御手段は、前記表示画素の配置位置と前記階調電流の調整制御に係る補正係数とを関連付けた補正テーブルを備え、前記表示画素の配置位置に基づいて、前記補正テーブルを参照することにより一義的に決定された前記補正係数を、所定の基準値に乗算することにより、前記階調電流の供給状態を調整制御することを特徴とする請求項１４乃至１９のいずれかに記載の表示装置。
【請求項２１】
前記信号駆動回路は、前記表示画素の各々に前記階調電流を供給する動作に先立って、前記表示画素に、特定のリセット信号を印加して、少なくとも、該表示画素に蓄積された電荷を放電して初期化することを特徴とする請求項１４乃至２０のいずれかに記載の表示装置。
【請求項２２】
前記補正手段は、前記表示パネルにおける、前記信号駆動回路に対する、前記各表示画素の、少なくとも、前記信号ライン及び前記表示画素の各々に付加される容量成分の総和からなる負荷容量が一定になる方向に容量値を調整する手段を備えることを特徴とする請求項１４記載の表示装置。
【請求項２３】
前記表示画素は、少なくとも、
前記階調電流に基づく電荷を電圧成分として保持する保持容量を備える電荷保持手段と、
該電荷保持手段に保持された電圧成分に基づいて、前記発光素子に発光駆動電流を流す発光駆動手段と、
を備えた発光駆動回路を具備し、
前記発光駆動回路は、前記選択期間においては前記発光素子に前記発光駆動電流を供給しない非発光状態に設定し、
前記選択期間終了後の非選択期間においては前記電荷保持手段に保持された電圧成分に基づいて、前記発光素子に前記発光駆動電流を供給して、前記階調電流に応じた輝度階調で発光動作させる発光状態に設定することを特徴とする請求項１４乃至２２のいずれかに記載の表示装置。
【請求項２４】
前記補正手段は、前記表示パネルにおける、前記信号駆動回路に対する、該信号駆動回路から前記表示画素の各々までの前記信号ラインに寄生する容量成分と、該表示画素の各々に設けられた前記保持容量と、の容量値の総和からなる負荷容量が一定になる方向に前記保持容量の容量値を調整する手段を備えることを特徴とする請求項２３記載の表示装置。
【請求項２５】
前記補正手段は、前記表示パネルにおける、前記信号駆動回路から前記表示画素の各々までの信号ラインに寄生する容量成分と、前記表示画素の各々に設けられた前記保持容量と、前記表示パネルの各行ごとの前記表示画素に共通に接続される特定の信号供給ラインに設けられた容量成分と、の容量値の総和からなる負荷容量が一定になる方向に、前記信号供給ラインごとに設けられる容量成分の容量値を各行ごとに個別に設定する手段を備えることを特徴とする請求項２３記載の表示装置。
【請求項２６】
前記発光素子は、有機エレクトロルミネッセント素子であることを特徴とする請求項１４乃至２５のいずれかに記載の表示装置。
【請求項２７】
互いに直交する複数の信号ライン及び複数の走査ラインと、該各信号ラインと各走査ラインの交点近傍に配置される、電流制御型の発光素子を備える複数の表示画素と、を備える表示パネルの前記各表示画素に、前記信号ラインを介して表示データの輝度階調に基づく階調電流を供給し、該階調電流によって前記表示画素に書き込まれる電荷量に基づいて前記各発光素子を発光動作させて、前記表示パネルに所望の画像情報を表示する表示装置の駆動制御方法において、
前記表示データの輝度階調範囲の少なくとも一部において、前記階調電流によって前記各表示画素に供給される供給電荷量に対して、該各表示画素に書き込まれる電荷量の割合が一定となる方向に、前記階調電流を調整制御することを特徴とする表示装置の駆動制御方法。
【請求項２８】
前記表示装置の駆動制御方法は、少なくとも、
前記表示パネルにおける前記表示画素の、前記信号ラインに沿う配置位置に基づいて、所定の補正テーブルを参照して、前記階調電流の調整制御に係る補正係数を抽出するステップと、
前記補正係数を所定の基準値に乗算して、前記階調電流の電流値を調整制御するステップと、
前記調整制御された電流値を有する前記階調電流を、所定のタイミングで前記表示画素に供給するステップと、
を含むことを特徴とする請求項２４記載の表示装置の駆動制御方法。
【請求項２９】
前記表示装置の駆動制御方法は、少なくとも、
前記表示パネルにおける前記表示画素の、前記信号ラインに沿う配置位置に基づいて、所定の補正テーブルを参照して、前記階調電流の調整制御に係る補正係数を抽出するステップと、
前記補正係数を所定の基準値に乗算して、前記階調電流を前記表示画素に供給する電流供給期間の時間幅を調整制御するステップと、
前記表示画素の各々を選択状態に設定する一定の時間幅を有する選択期間内に、前記調整制御された時間幅を有する前記電力供給期間で、前記階調電流を前記表示画素に供給するステップと、
を含むことを特徴とする請求項２７記載の表示装置の駆動制御方法。
【請求項３０】
前記表示装置の駆動制御方法は、少なくとも、
前記表示パネルにおける前記表示画素の、前記信号ラインに沿う配置位置に基づいて、所定の補正テーブルを参照して、前記階調電流の調整制御に係る補正係数を抽出するステップと、
前記補正係数を所定の基準値に乗算して、前記表示画素を選択状態に設定する選択期間の時間幅を調整制御するステップと、
前記表示画素の各々に前記階調電流を供給する一定の時間幅を有する電流供給期間内に、前記調整制御された時間幅を有する前記選択期間で、前記階調電流を前記表示画素に供給するステップと、
を含むことを特徴とする請求項２７記載の表示装置の駆動制御方法。
【請求項３１】
前記表示装置の駆動制御方法は、前記表示画素の各々に前記階調電流を供給するステップに先立って、前記表示画素に、特定のリセット信号を印加して、少なくとも、該表示画素に蓄積された電荷を放電して初期化するステップを含むことを特徴とする請求項２８乃至３０のいずれかに記載の表示装置の駆動制御方法。
【発明の詳細な説明】
【０００１】
【発明の属する技術分野】
本発明は、表示駆動装置及び表示装置並びにその駆動制御方法に関し、特に、表示データに応じた電流を供給することにより所定の輝度階調で発光動作する電流制御型の発光素子を備えた表示画素を、複数配列してなる表示パネルに適用可能な表示駆動装置、及び、該表示駆動装置を備えた表示装置、並びに、該表示装置における駆動制御方法に関する。
【０００２】
【従来の技術】
従来、有機エレクトロルミネッセンス素子（以下、「有機ＥＬ素子」と略記する）や発光ダイオード（ＬＥＤ）等のように供給される駆動電流の電流値に応じて所定の輝度階調で発光動作する電流制御型の発光素子を備えた表示画素を、２次元配列した表示パネルを具備する発光素子型のディスプレイ（表示装置）が知られている。
【０００３】
特に、アクティブマトリックス駆動方式を適用した発光素子型ディスブレイは、近年普及が著しい液晶表示装置（ＬＣＤ）に比較して、表示応答速度が速く、視野角依存性もなく、また、高輝度・高コントラスト化、表示画質の高精細化、低消費電力化等が可能であるとともに、液晶表示装置の場合のように、バックライトを必要としないので、一層の薄型軽量化が可能という極めて優位な特徴を有しており、次世代のディスプレイとして研究開発が盛んに行われている。
【０００４】
そして、このような発光素子型ディスブレイにおいては、上述した電流制御型の発光素子を発光制御するための駆動制御機構や制御方法が種々提案されている。例えば、特許文献１等に記載されているように、表示パネルを構成する各表示画素ごとに、上記発光素子に加えて、該発光素子を発光制御するための複数のスイッチング手段からなる駆動回路（以下、便宜的に「発光駆動回路」又は「画素駆動回路」と記す）を備えたものが知られている。
【０００５】
図１８は、従来技術における発光素子型ディスプレイに適用可能な表示画素の構成例を示す等価回路図である。
すなわち、特許文献１等に記載された表示画素は、図１８に示すように、表示パネルにマトリクス状に配設された複数の走査ライン（選択ライン）ＳＬ及びデータライン（信号ライン）ＤＬの各交点近傍に、ゲート端子が走査ラインＳＬに、ソース端子及びドレイン端子がデータラインＤＬ及び接点Ｎ１１１に各々接続された薄膜トランジスタ（ＴＦＴ）Ｔｒ１１１と、ゲート端子が接点Ｎ１１１に接続され、ソース端子に接地電位Ｖｇｎｄが印加された薄膜トランジスタＴｒ１１２と、を備えた発光駆動回路ＤＣｐ、及び、該発光駆動回路ＤＣｐの薄膜トランジスタＴｒ１１２のドレイン端子にアノード端子が接続され、カソード端子に接地電位Ｖｇｎｄよりも低電位の低電源電圧Ｖｓｓが印加された有機ＥＬ素子（電流制御型の発光素子）ＯＥＬを有して構成されている。
【０００６】
ここで、図１８において、Ｃｐは、薄膜トランジスタＴｒ１１２のゲート−ソース間に形成される寄生容量である。また、薄膜トランジスタＴｒ１１１は、ｎチャネル型の電界効果型トランジスタにより構成され、薄膜トランジスタＴｒ１１２は、ｐチャネル型の電界効果型トランジスタにより構成されている。
そして、このような構成を有する発光駆動回路ＤＣｐにおいては、薄膜トランジスタＴｒ１１１及びＴｒ１１２からなる２個のトランジスタ（スイッチング手段）を所定のタイミングでオン、オフ制御することにより、以下に示すように、有機ＥＬ素子ＯＥＬを発光制御する。
【０００７】
すなわち、発光駆動回路ＤＣｐにおいて、図示を省略した走査ドライバにより、走査ラインＳＬにハイレベルの走査信号Ｖｓｅｌを印加して表示画素を選択状態に設定すると、薄膜トランジスタＴｒ１１１がオン動作して、図示を省略したデータドライバによりデータラインＤＬに印加された、表示データに応じた階調信号電圧Ｖｐｉｘが薄膜トランジスタＴｒ１１１を介して、接点Ｎ１１１（すなわち、薄膜トランジスタＴｒ１１２のゲート端子）に印加される。これにより、薄膜トランジスタＴｒ１１２が上記階調信号電圧Ｖｐｉｘに応じた導通状態でオン動作して、接地電位Ｖｇｎｄから所定の発光駆動電流が薄膜トランジスタＴｒ１１２及び有機ＥＬ素子ＯＥＬを介して低電源電圧Ｖｓｓに流れ、有機ＥＬ素子ＯＥＬが上記表示データに応じた輝度階調で発光動作する。
【０００８】
次いで、走査ラインＳＬにローレベルの走査信号Ｖｓｅｌを印加して表示画素を非選択状態に設定すると、薄膜トランジスタＴｒ１１１がオフ動作することにより、データラインＤＬと発光駆動回路ＤＣｐとが電気的に遮断される。これにより、薄膜トランジスタＴｒ１１２のゲート端子に印加された電圧が寄生容量ＣＰ１により保持されて、薄膜トランジスタＴｒ１１２は、オン状態を持続することになり、上記選択状態と同様に、接地電位Ｖｇｎｄから所定の発光駆動電流が薄膜トランジスタＴｒ１２を介して有機ＥＬ素子ＯＥＬに流れて、発光動作が継続される。この発光動作は、次の表示データに応じた階調信号電圧が各表示画素に印加される（書き込まれる）まで、例えば、１フレーム期間継続されるように制御される。
このような駆動制御方法は、各表示画素（薄膜トランジスタＴｒ１１２のゲート端子）に印加する電圧（階調信号電圧）を調整することにより、有機ＥＬ素子ＯＥＬに流す発光駆動電流の電流値を制御して、所定の輝度階調で発光動作させていることから、電圧指定方式（又は、電圧印加方式）と呼ばれている。
【０００９】
ところで、上述したような電圧指定方式を採用した発光駆動回路を備えた表示画素においては、選択機能を有する薄膜トランジスタＴｒ１１１や発光駆動機能を有する薄膜トランジスタＴｒ１１２の素子特性（チャネル抵抗等）が、外部環境（周囲の温度等）や使用時間等に依存してバラツキや変動（劣化）を生じた場合には、発光素子（有機ＥＬ素子ＯＥＬ）に供給される発光駆動電流に影響を与えることになり、長期間にわたり安定的に所望の発光特性（所定の輝度階調での表示）を実現することが困難になるという問題を有していた。
【００１０】
また、表示パネルの高精細化を図るために、各表示画素を微細化すると、発光駆動回路ＤＣｐを構成する薄膜トランジスタＴｒ１１１及びＴｒ１１２の動作特性（ソース−ドレイン間電流等）のバラツキが大きくなるため、適正な階調制御が行えなくなり、各表示画素の発光特性にバラツキが生じて表示画質の劣化を招くという問題を有していた。
そこで、このような問題点を解決する構成として、いわゆる、電流印加方式（又は、電流指定方式）と呼ばれる駆動制御方法に対応した発光駆動回路の構成が知られている。なお、この電流印加方式に対応した発光駆動回路の構成例については、後述する発明の実施の形態において詳しく説明するが、概略、以下のような構成及び動作（機能）を有するものである。
【００１１】
すなわち、電流印加方式においては、発光素子（例えば、上述した有機ＥＬ素子ＯＥＬ等）に供給する発光駆動電流の電流値を制御する駆動電流制御手段（上述した薄膜トランジスタＴｒ１１２に相当する）を備え、該駆動電流制御手段に対して、表示データに応じた電流値を指定した階調電流をデータドライバから直接供給し、該電流に基づいて保持される電圧に基づいて、上記発光駆動電流の電流値を設定制御して、発光素子を所定の輝度階調で発光動作させるように構成されている。
【００１２】
このように、電流印加方式を採用した発光駆動回路においては、上述した駆動電流制御手段により、各表示画素に供給される表示データに応じた階調電流の電流レベルを電圧レベルに変換する機能（電流／電圧変換機能）と、該電圧レベルに基づく所定の電流値を有する発光駆動電流を発光素子に供給する機能（発光駆動機能）とを実現することができるので、電流生成制御手段を、例えば、単一の能動素子（薄膜トランジスタ）により構成することにより、図１８に示したような複数の薄膜トランジスタ相互の動作特性のバラツキが、発光駆動電流に与える影響を抑制することができるという利点を有している。
【００１３】
【特許文献１】
特開２００２−１５６９２３号公報  （第４頁、図２）
【００１４】
【発明が解決しようとする課題】
しかしながら、上述したような電流印加方式を採用した発光駆動回路においては、以下に示すような問題を有していた。
すなわち、電流指定方式の発光駆動回路においては、最下位又は比較的輝度階調の低い表示データに基づく階調電流を各表示画素に書き込む場合（低階調表示時）、表示データの輝度階調に対応した小さい電流値を有する信号電流を各表示画素に供給する必要がある。
【００１５】
ここで、各表示画素に表示データ（階調電流）を書き込む動作は、データラインに寄生する容量成分（配線容量）を所定の電圧まで充電することに相当するため、特に、表示パネルの大型化等によりデータラインの配線長を長く設計した場合には、階調電流の電流値が小さくなるほど（すなわち、低階調表示時ほど）、データラインの配線容量や配線抵抗の影響を受けやすくなって、同一の電流値を有する階調電流を各表示画素に供給した場合であっても、当該表示画素の表示パネルにおける配置位置によって、表示データに応じた階調電流によって供給される供給電荷量に対し、表示画素に実際に書き込まれる電荷量の割合（書込率）が異なるという問題を有していた。
【００１６】
図１９は、表示パネルにおける表示画素の配置位置とデータラインの配線長の関係を示す概略構成図である。ここで、図１９に示す表示画素は、図１８に示した発光駆動回路ＤＣｐと有機ＥＬ素子ＯＥＬを含む構成を有している。
具体的には、図１９に示すように、データドライバ１３０において、各表示画素に供給される階調電流が入力される階調電流入力端に対して、表示パネル１１０上であって、略直近の位置に配置された（例えば、１行目の走査ラインに接続された）表示画素ＥＭａと、最遠の位置に配置された（例えば、最終行であるｎ行目の走査ラインに接続された）表示画素ＥＭｂとでは、階調電流入力端から経由するデータラインＤＬの配線長が短い表示画素ＥＭａにおいては、該データラインＤＬの配線容量や配線抵抗の影響をほとんど受けることなく、データドライバからの階調電流がそのまま瞬時に供給されるのに対して、階調電流入力端から経由するデータラインＤＬの配線長が長い（データラインＤＬの全長分）表示画素ＥＭｂにおいては、該データラインＤＬの配線容量や配線抵抗の影響を受けて、書込動作が大きく遅延する。
【００１７】
ここで、例えば、図２０（ａ）に示すように、表示パネル上における表示画素の配置位置を、データドライバ直近の位置（階調電流入力端）を規格化位置“０”、データドライバから最遠となる位置（最遠方位置）を規格化位置“１”と規定し、また、書込動作の状態を所定の選択期間に各表示画素に書き込まれた表示データの比率（書込率）で表すと、規格化位置“０”では略１００％の書込率が得られるのに対して、規格化位置“１”では書込率が１０％程度にまで低下するシミュレーション結果も得られている。
【００１８】
なお、図２０は、表示パネルにおける表示画素の配置位置（規格化位置）と表示データの書込率との関係をシミュレーション結果である。ここで、図２０（ａ）に示したシミュレーション結果は、図２０（ｂ）に示すように、３７インチの画面サイズを有し、水平画素数１３６５、垂直画素数７６８データラインの配線幅５４４μｍ、データラインの配線容量１９．９ｐＦに構成された表示パネルを用い、画素選択時間２２μｓｅｃ、最高階調電流値１９．３７μＡ／ｐｉｘ、最低階調電流値０．３０μＡ／ｐｉｘと設定して、特定の階調電流を供給し、各表示画素の有機ＥＬ素子を発光動作させた場合の発光輝度を測定し、設計値（理想値）５００ｃｄ／ｍ２に対する比率（書込率）を算出したものである。
【００１９】
そのため、表示パネルに配設された走査ライン数等に基づいて予め設定された選択期間（書込時間）では、表示画素に表示データを充分に書き込むことができない（飽和状態に達しない）、いわゆる、書込不足が生じ、表示データに応じた適切な輝度階調で発光動作することができない表示画素が発生して、表示パネル内で輝度差が生じて表示画質の劣化を招くという問題を有していた。
このような問題は、表示パネルを高精細化して走査ラインの数を増加させ、各走査ラインの選択期間を短く設定した場合には、より顕著になり、表示パネルの高精細化を制約するという問題も有していた。
【００２０】
また、上述したような表示データの書込不足の問題を解決するために、各表示画素に供給される階調電流の電流値を大きく設定することも考えられるが、この場合、図２１に示すように、表示画素を同一の輝度（例えば、規格化輝度０．４０）で発光動作させるためには、規格化位置“０”の表示画素に供給する電流値（規格化電流Ｉ１＝０．０４）に比較して、規格化位置“１”の表示画素においては、極めて大きな電流値（規格化電流Ｉ２＝０．０８以上）を供給する必要があり、最高輝度階調で最遠方位置に配置された表示画素を、予め設定された選択期間で良好な輝度で発光駆動するためには、データドライバの電流供給能力を極めて大きく設計しなければならないという問題を有していた。
【００２１】
なお、図２１は、表示パネルの特定の位置（規格化位置“０”及び規格化位置“１”）に配置された表示画素における入力電流（規格化電流）に対する出力輝度（規格化輝度）の関係を示すシミュレーション結果である。ここで、図２１に示したシミュレーション結果は、図２０（ｂ）に示した仕様を有する表示パネルにおいて、規格化位置“０”及び規格化位置“１”の表示画素に供給する電流値に対する発光輝度の変化を測定し、各々を規格化して特性曲線ＰＳ０、ＰＳ１として示したものである。
【００２２】
そこで、本発明は、上述した問題点に鑑み、表示パネルを構成する各表示画素の配置位置に関わらず、信号配線の寄生容量や配線抵抗に起因する表示データの書込率の低下を抑制して、均一な輝度階調で発光素子を発光動作させ、表示画質の改善を図ることができる表示駆動装置及び表示装置並びにその駆動制御方法を提供することを目的とする。
【００２３】
【課題を解決するための手段】
請求項１記載の表示駆動装置は、互いに直交する複数の信号ライン及び複数の走査ラインと、該各信号ラインと各走査ラインの交点近傍に配置される、電流制御型の発光素子を備える複数の表示画素と、を備える表示パネルの該各表示画素に、前記各信号ラインを介して表示データの輝度階調に基づく階調電流を供給し、該階調電流によって前記表示画素に書き込まれる電荷量に基づいて前記各発光素子を発光動作させる表示駆動装置において、前記表示データの輝度階調範囲の少なくとも一部において、前記階調電流によって前記各表示画素に供給される供給電荷量に対して、該各表示画素に書き込まれる電荷量の割合が一定となる方向に補正する補正手段を備えることを特徴とする表示駆動装置。
請求項２記載の表示駆動装置は、請求項１記載の表示駆動装置において、前記補正手段は、前記表示データの全輝度階調範囲において、前記補正を行うことを特徴とする。
【００２４】
請求項３記載の表示駆動装置は、請求項１又は２記載の表示駆動装置において、前記補正手段は、少なくとも、前記表示パネルにおける、前記信号ラインの、前記表示駆動装置から該表示画素までの間に寄生する容量成分に基づいて、前記階調電流を調整制御する電流供給制御手段を備えることを特徴とする。
請求項４記載の表示駆動装置は、請求項３記載の表示駆動装置において、前記電流供給制御手段は、前記表示画素の各々に供給する前記階調電流の電流値を調整制御する手段を備えることを特徴とする。
【００２５】
請求項５記載の表示駆動装置は、請求項３又は４のいずれかに記載の表示駆動装置において、前記電流供給制御手段は、前記表示画素の各々に前記階調電流を供給する際に、該表示画素を選択状態に設定する選択期間の時間幅を調整制御する手段を備えることを特徴とする。
請求項６記載の表示駆動装置は、請求項５記載の表示駆動装置において、前記電流供給制御手段は、前記選択期間の時間幅を、前記表示画素の各々に前記階調電流を供給する一定の時間幅を有する電流供給期間内で調整制御する手段を備えることを特徴とする。
【００２６】
請求項７記載の表示駆動装置は、請求項３記載の表示駆動装置において、前記電流供給制御手段は、前記表示画素の各々に前記階調電流を供給する際に、該表示画素に前記階調電流を供給する電流供給期間の時間幅を調整制御する手段を備えることを特徴とする。
請求項８記載の表示駆動装置は、請求項７記載の表示駆動装置において、前記電流供給制御手段は、前記電流供給期間の時間幅を、前記表示画素の各々を選択状態に設定する一定の時間幅を有する選択期間内で調整制御する手段を備えることを特徴とする。
【００２７】
請求項９記載の表示駆動装置は、請求項３乃至８のいずれかに記載の表示駆動装置において、前記電流供給制御手段は、前記表示パネルにおける前記表示画素の、前記表示駆動装置から該表示画素までの、前記信号ラインに沿う配置位置と前記階調電流の調整制御に係る補正係数とを関連付けた補正テーブルを備え、前記表示画素の配置位置に基づいて、前記補正テーブルを参照することにより一義的に決定された前記補正係数を用いて、前記階調電流を調整制御する手段を備えることを特徴とする。
請求項１０記載の表示駆動装置は、請求項９記載の表示駆動装置において、前記電流供給制御手段は、前記表示画素の配置位置に基づいて、前記補正テーブルから抽出された前記補正係数を、所定の基準値に乗算することにより、前記階調電流を調整制御する手段を備えることを特徴とする。
【００２８】
請求項１１記載の表示駆動装置は、請求項３乃至１０のいずれかに記載の表示駆動装置において、前記電流供給制御手段は、前記表示画素の各々に前記階調電流を供給する動作に先立って、前記表示画素に、特定のリセット信号を印加して、少なくとも、該表示画素に蓄積された電荷を放電して初期化する手段を備えることを特徴とする。
【００２９】
請求項１２記載の表示装置は、互いに直交する複数の信号ライン及び複数の走査ラインと、該各信号ラインと各走査ラインの交点近傍に配置される、電流制御型の発光素子を備える複数の表示画素と、を備える表示パネルの前記各表示画素に、前記各信号ラインを介して、表示データの輝度階調に基づく階調電流を供給し、該階調電流によって前記表示画素に書き込まれる電荷量に基づいて前記各発光素子発光動作させて、前記表示パネルに所望の画像情報を表示する表示装置において、少なくとも、前記表示パネルの前記複数の走査ラインに順次走査信号を印加して、前記表示画素を所定の選択期間毎に順次選択状態に設定する走査駆動回路と、前記選択期間毎に、前記表示パネルの前記各信号ラインに前記階調電流を印加して、該階調電流を前記各表示画素に供給する信号駆動回路と、を具備し、前記表示データの輝度階調範囲の少なくとも一部において、前記階調電流によって前記各表示画素に供給される供給電荷量に対して、該各表示画素に書き込まれる電荷量の割合が一定となる方向に補正する補正手段を備えることを特徴とする
【００３０】
請求項１３記載の表示装置は、請求項１２記載の表示装置において、前記補正手段は、前記表示データの全輝度階調範囲において、前記補正を行うことを特徴とする。
請求項１４記載の表示装置は、請求項１２又は１３記載の表示装置において、前記補正手段は、少なくとも、前記表示パネルにおける、前記信号駆動装置から前記表示画素までの間に寄生する容量成分に基づいて、前記階調電流を調整制御する電流供給制御手段を備えることを特徴とする。
【００３１】
請求項１５記載の表示装置は、請求項１４記載の表示装置において、前記電流供給制御手段は、前記表示パネルにおける前記表示画素の、該信号駆動回路から該表示画素までの、前記信号ラインに沿う配置位置に応じて、該表示画素の各々に供給する前記階調電流の電流値を調整制御する手段を備えることを特徴とする。
請求項１６記載の表示装置は、請求項１４記載の表示装置において、前記電流供給制御手段は、前記信号駆動回路において、前記表示画素の各々に前記階調電流を供給する際に、前記表示パネルにおける前記表示画素の、前記信号駆動回路から該表示画素までの、前記信号ラインに沿う配置位置に応じて、該表示画素に前記階調電流を供給する電流供給期間の時間幅を調整制御する手段を備えることを特徴とする。
【００３２】
請求項１７記載の表示装置は、請求項１６記載の表示装置において、前記電流供給制御手段は、前記電流供給期間の時間幅を、前記表示画素の各々を選択状態に設定する前記選択期間内で調整制御することを特徴とする。
請求項１８記載の表示装置は、請求項１４記載の表示装置において、前記電流供給制御手段は、前記走査駆動回路において、前記信号駆動回路より前記表示画素の各々に前記階調電流を供給する際に、前記表示パネルにおける前記表示画素の、前記信号駆動装置から該表示画素までの、前記信号ラインに沿う配置位置に応じて、前記選択期間の時間幅を調整制御する手段を備えることを特徴とする。
請求項１９記載の表示装置は、請求項１８記載の表示装置において、前記電流供給制御手段は、前記選択期間の時間幅を、前記信号駆動回路より前記表示画素の各々に前記階調電流を供給する一定の時間幅を有する電流供給期間内で調整制御することを特徴とする。
【００３３】
請求項２０記載の表示装置は、請求項１４乃至１９のいずれかに記載の表示装置において、前記電流供給制御手段は、前記表示画素の配置位置と前記階調電流の調整制御に係る補正係数とを関連付けた補正テーブルを備え、前記表示画素の配置位置に基づいて、前記補正テーブルを参照することにより一義的に決定された前記補正係数を、所定の基準値に乗算することにより、前記階調電流の供給状態を調整制御することを特徴とする。
【００３４】
請求項２１記載の表示装置は、請求項１４乃至２０のいずれかに記載の表示装置において、前記信号駆動回路は、前記表示画素の各々に前記階調電流を供給する動作に先立って、前記表示画素に、特定のリセット信号を印加して、少なくとも、該表示画素に蓄積された電荷を放電して初期化することを特徴とする。
請求項２２記載の表示装置は、請求項１４記載の表示装置において、前記補正手段は、前記表示パネルにおける、前記信号駆動回路に対する、前記各表示画素の、少なくとも、前記信号ライン及び前記表示画素の各々に付加される容量成分の総和からなる負荷容量が一定になる方向に容量値を調整する手段を備えることを特徴とする。
【００３５】
請求項２３記載の表示装置は、請求項１４乃至２２のいずれかに記載の表示装置において、前記表示画素は、少なくとも、前記階調電流に基づく電荷を電圧成分として保持する保持容量を備える電荷保持手段と、該電荷保持手段に保持された電圧成分に基づいて、前記発光素子に発光駆動電流を流す発光駆動手段と、を備えた発光駆動回路を具備し、前記発光駆動回路は、前記選択期間においては前記発光素子に前記発光駆動電流を供給しない非発光状態に設定し、前記選択期間終了後の非選択期間においては前記電荷保持手段に保持された電圧成分に基づいて、前記発光素子に前記発光駆動電流を供給して、前記階調電流に応じた輝度階調で発光動作させる発光状態に設定することを特徴とする。
請求項２４記載の表示装置は、請求項２３記載の表示装置において、前記補正手段は、前記表示パネルにおける、前記信号駆動回路に対する、該信号駆動回路から前記表示画素の各々までの前記信号ラインに寄生する容量成分と、該表示画素の各々に設けられた前記保持容量と、の容量値の総和からなる負荷容量が一定になる方向に前記保持容量の容量値を調整する手段を備えることを特徴とする。
【００３６】
請求項２５記載の表示装置は、請求項２３記載の表示装置において、前記補正手段は、前記表示パネルにおける、前記信号駆動回路から前記表示画素の各々までの信号ラインに寄生する容量成分と、前記表示画素の各々に設けられた前記保持容量と、前記表示パネルの各行ごとの前記表示画素に共通に接続される特定の信号供給ラインに設けられた容量成分と、の容量値の総和からなる負荷容量が一定になる方向に、前記信号供給ラインごとに設けられる容量成分の容量値を各行ごとに個別に設定する手段を備えることを特徴とする。
請求項２６記載の表示装置は、請求項１４乃至２５のいずれかに記載の表示装置において、前記発光素子は、有機エレクトロルミネッセント素子であることを特徴とする。
【００３７】
請求項２７記載の表示装置の駆動制御方法は、互いに直交する複数の信号ライン及び複数の走査ラインと、該各信号ラインと各走査ラインの交点近傍に配置される、電流制御型の発光素子を備える複数の表示画素と、を備える表示パネルの前記各表示画素に、前記信号ラインを介して表示データの輝度階調に基づく階調電流を供給し、該階調電流によって前記表示画素に書き込まれる電荷量に基づいて前記各発光素子を発光動作させて、前記表示パネルに所望の画像情報を表示する表示装置の駆動制御方法において、前記表示データの輝度階調範囲の少なくとも一部において、前記階調電流によって前記各表示画素に供給される供給電荷量に対して、該各表示画素に書き込まれる電荷量の割合が一定となる方向に、前記階調電流を調整制御することを特徴とする。
【００３８】
請求項２８記載の表示装置の駆動制御方法は、請求項２７記載の表示装置の駆動制御方法において、前記表示装置の駆動制御方法は、少なくとも、前記表示パネルにおける前記表示画素の、前記信号ラインに沿う配置位置に基づいて、所定の補正テーブルを参照して、前記階調電流の調整制御に係る補正係数を抽出するステップと、前記補正係数を所定の基準値に乗算して、前記階調電流の電流値を調整制御するステップと、前記調整制御された電流値を有する前記階調電流を、所定のタイミングで前記表示画素に供給するステップと、含むことを特徴とする。
【００３９】
請求項２９記載の表示装置の駆動制御方法は、請求項２７記載の表示装置の駆動制御方法において、前記表示装置の駆動制御方法は、少なくとも、前記表示パネルにおける前記表示画素の、前記信号ラインに沿う配置位置に基づいて、所定の補正テーブルを参照して、前記階調電流の調整制御に係る補正係数を抽出するステップと、前記補正係数を所定の基準値に乗算して、前記階調電流を前記表示画素に供給する電流供給期間の時間幅を調整制御するステップと、前記表示画素の各々を選択状態に設定する一定の時間幅を有する選択期間内に、前記調整制御された時間幅を有する前記電力供給期間で、前記階調電流を前記表示画素に供給するステップと、を含むことを特徴とする。
【００４０】
請求項３０記載の表示装置の駆動制御方法は、請求項２７記載の表示装置の駆動制御方法において、前記表示装置の駆動制御方法は、少なくとも、前記表示パネルにおける前記表示画素の、前記信号ラインに沿う配置位置に基づいて、所定の補正テーブルを参照して、前記階調電流の調整制御に係る補正係数を抽出するステップと、前記補正係数を所定の基準値に乗算して、前記表示画素を選択状態に設定する選択期間の時間幅を調整制御するステップと、前記表示画素の各々に前記階調電流を供給する一定の時間幅を有する電流供給期間内に、前記調整制御された時間幅を有する前記選択期間で、前記階調電流を前記表示画素に供給するステップと、を含むことを特徴とする。
【００４１】
請求項３１記載の表示装置の駆動制御方法は、請求項２８乃至３０のいずれかに記載の表示装置の駆動制御方法において、前記表示装置の駆動制御方法は、前記表示画素の各々に前記階調電流を供給するステップに先立って、前記表示画素に、特定のリセット信号を印加して、少なくとも、該表示画素に蓄積された電荷を放電して初期化するステップを含むことを特徴とする。
【００４２】
すなわち、本発明に係る表示駆動装置及び表示装置並びにその駆動制御方法は、有機ＥＬ素子等のように、供給される発光駆動電流の電流値に応じて所定の輝度階調で発光動作する電流制御型の発光素子を備えた表示画素に対して、表示データに応じた階調電流を供給することにより、該表示画素が、互いに直交する複数のデータライン（信号ライン）及び複数の走査ラインの交点近傍に配置される表示パネルに所望の画像情報を表示する表示装置において、各表示画素への表示データの書込動作に際し、当該表示画素の表示パネル上での配置位置、具体的には、データドライバ（信号駆動回路）から当該表示画素までのデータラインに寄生する容量成分（配線容量）に応じて、階調電流の電流値又は電流供給期間、もしくは、各表示画素の選択期間、あるいは、データドライバに対する各表示画素の負荷容量を調整制御（補正）することができるように構成されている。
【００４３】
これによれば、表示パネルのいずれの位置に配置された表示画素においても、同一階調で同一発光輝度となるように、上記階調電流の電流値又は電流供給期間、もしくは、各表示画素の選択期間を調整制御（補正）して、階調電流によって供給される供給電荷量に対して、各表示画素に書き込まれる電荷量の割合（書込率）が一定となる方向に補正することができるので、データドライバからのデータラインに寄生する配線容量や配線抵抗の影響を抑制して、表示パネルの全域で輝度階調を均一化して、表示画質の向上を図ることができる。
【００４４】
ここで、上記階調電流の電流値又は電流供給期間、もしくは、各表示画素の選択期間を調整制御する手法としては、表示画素の配置位置と階調電流の供給状態の調整制御に係る補正係数とを関連付けた補正テーブルを備え、表示画素の配置位置に基づいて、該補正テーブルから補正係数を一義的に抽出し、該補正係数を所定の基準値（基本電流値、基本供給時間、基本印加時間）に乗算することにより、階調電流の供給状態を調整制御すること手法を適用することができる。
【００４５】
また、表示パネルのいずれの位置に配置された表示画素においても、同一階調で同一発光輝度となるように、上記データドライバから見た各表示画素における容量負荷（具体的には、各表示画素に設けられる電荷保持手段や、該表示画素が共通に接続される行方向の信号供給ライン（電源ライン）に付加される容量成分（補正容量））を均一に調整制御（補正）することができるので、各表示画素への表示データの書込率を一定となるように設定することができ、表示パネルの全域で輝度階調を均一化して、表示画質の向上を図ることができる。
【００４６】
さらに、各行の表示画素に上記階調電流を供給する動作（表示データを書き込む動作）に先立って、各データライン及び表示画素に所定電圧を有するリセット信号（リセット電圧）を印加して、データラインや表示画素に保持されている電荷を放電させるリセット動作（リセット期間）を実行するものであってもよい。これによれば、各表示画素への表示データの書込動作に際し、常に一定の初期化状態に設定された表示画素に対して、上記階調電流が供給されることになるので、各表示画素に表示データに適切に対応した電荷が蓄積され、発光素子を適切な輝度階調で発光動作させることができる。
【００４７】
【発明の実施の形態】
以下、本発明に係る表示駆動装置及び表示装置並びにその駆動制御方法について、実施の形態を示して詳しく説明する。
＜表示装置＞
まず、本発明に係る表示駆動装置を適用可能な表示装置の概略構成（基本構成）について、図面を参照して説明する。
図１は、本発明に係る表示装置の基本構成を示す概略ブロック図であり、図２は、本発明に係る表示装置の要部構成を示す概略構成図である。
【００４８】
図１、図２に示すように、本実施形態に係る表示装置１００は、概略、相互に直交するように配設された複数の走査ラインＳＬと複数のデータライン（信号ライン）ＤＬとの各交点近傍に、例えば、後述する発光駆動回路（画素駆動回路）及び電流制御型の発光素子（有機ＥＬ素子）を備えた複数の表示画素ＥＭがマトリクス状に配列された表示パネル１１０と、該表示パネル１１０の走査ラインＳＬに接続され、各走査ラインＳＬに所定のタイミングで順次走査信号Ｖｓｅｌを印加することにより、行ごとの表示画素ＥＭを選択状態に設定（走査）する走査ドライバ（表示駆動装置、走査駆動回路）１２０と、表示パネル１１０のデータラインＤＬに接続され、後述する表示信号生成回路１５０から供給される表示データを取り込んで、所定のタイミングで各データラインＤＬへ表示データに応じた階調電流Ｉｐｉｘを供給するデータドライバ（表示駆動装置、信号駆動回路）１３０と、後述する表示信号生成回路１５０から供給されるタイミング信号に基づいて、少なくとも、走査ドライバ１２０及びデータドライバ１３０の動作状態を制御する走査制御信号及びデータ制御信号を生成して出力するシステムコントローラ１４０と、例えば、表示装置１００の外部から供給される映像信号に基づいて、表示データを生成して上記データドライバ１３０に供給するとともに、該表示データを表示パネル１１０に画像表示するためのタイミング信号（システムクロック等）を抽出、又は、生成して上記システムコントローラ１４０に供給する表示信号生成回路１５０と、を備えて構成されている。
【００４９】
以下、上記各構成について具体的に説明する。
（表示パネル１１０）
図２に示した表示パネル１１０に配列された表示画素ＥＭは、後述するように、走査ドライバ１２０から走査ラインＳＬに走査信号Ｖｓｅｌを印加するタイミングに基づいて、信号ドライバ１３０からデータラインＤＬに供給される階調電流Ｉｐｉｘを取り込んで、該階調電流Ｉｐｉｘに応じた電圧成分を保持する書込動作と、該電圧成分に基づく発光駆動電流を発光素子に供給して所定の輝度階調で発光させる発光動作と、を選択的に実行するように構成されている。
【００５０】
すなわち、本実施形態に適用される表示画素ＥＭ（発光駆動回路）は、選択レベル（例えば、ハイレベル）の走査信号Ｖｓｅｌが印加されることにより設定される選択状態（選択期間）においては、階調電流Ｉｐｉｘが書き込まれる（書込動作）とともに、発光素子への発光駆動電流の供給が遮断されて非発光状態となり、また、非選択レベル（例えば、ローレベル）の走査信号Ｖｓｅｌが印加されることにより設定される非選択状態（非選択期間）においては、上記書込動作により書き込まれた階調電流Ｉｐｉｘに基づく発光駆動電流が発光素子に供給されて、該発光素子が所定の輝度階調で発光する（発光動作）。なお、本実施形態に係る表示パネルに適用される表示画素ＥＭの具体回路例や回路動作については、詳しく後述する。
【００５１】
（走査ドライバ１２０）
走査ドライバ１２０は、システムコントローラ１４０から供給される走査制御信号に基づいて、上記各走査ラインＳＬに選択レベル（例えば、ハイレベル）の走査信号Ｖｓｅｌを順次印加することにより、各行ごとの表示画素ＥＭを選択状態に設定し、当該選択状態（選択期間）に設定される一定期間、又は、特定の時間幅に設定された期間中に、データドライバ１３０により各データラインＤＬを介して供給される表示データに基づく階調電流Ｉｐｉｘを、各表示画素ＥＭに書き込むように制御する。
【００５２】
走査ドライバ１２０は、具体的には、図２に示すように、シフトレジスタとバッファからなるシフトブロックＳＢ１、ＳＢ２、ＳＢ３、・・・を、各走査ラインＳＬに対応させて複数段備え、後述するシステムコントローラ１４０から走査制御信号として供給される走査クロック信号ＳＣＫに基づいて、走査スタート信号ＳＳＴを表示パネル１１０の上方から下方に順次シフトしつつ生成されたシフト信号を、バッファを介して所定の電圧レベル（ハイレベル）に変換して走査信号Ｖｓｅｌとして各走査ラインＳＬに印加する。なお、走査ドライバにおける本発明特有の動作制御については、詳しく後述する。
【００５３】
（データドライバ１３０）
データドライバ１３０は、システムコントローラ１４０から供給されるデータ制御信号に基づいて、後述する表示信号生成回路１５０から供給される１行分ごとの表示データを所定のタイミングで順次取り込み、該表示データの輝度階調に対応する電流値、又は、電流供給時間（パルス幅）に設定された階調電流Ｉｐｉｘを生成して、上記各走査ラインごとに設定される選択期間内の所定のタイミングで各データラインＤＬに供給する。なお、データドライバにおける本発明特有の構成及び動作制御については、詳しく後述する。
【００５４】
（システムコントローラ１４０）
システムコントローラ１４０は、上述した走査ドライバ１２０及びデータドライバ１３０に対して、動作状態を制御する走査制御信号及びデータ制御信号を出力することにより、各ドライバを所定のタイミングで動作させて走査信号Ｖｓｅｌ及び階調電流Ｉｐｉｘを生成して出力させ、表示信号生成回路１５０により生成される表示データを各表示画素ＥＭに書き込んで発光動作させ、所定の画像情報を表示パネル１１０に表示させる制御を行う。なお、システムコントローラにより実現される駆動制御動作については、後述する各実施形態において詳しく説明する。
【００５５】
（表示信号生成回路１５０）
表示信号生成回路１５０は、例えば、表示装置１００の外部から供給される映像信号から輝度階調信号成分を抽出し、表示パネル１１０の１行分ごとに表示データとしてデータドライバ１３０に供給する。ここで、上記映像信号が、テレビ放送信号（コンポジット映像信号）のように、画像情報の表示タイミングを規定するタイミング信号成分を含む場合には、表示信号生成回路１５０は、上記輝度階調信号成分を抽出する機能のほか、タイミング信号成分を抽出してシステムコントローラ１４０に供給する機能を有するものであってもよい。この場合においては、上記システムコントローラ１４０は、表示信号生成回路１５０から供給されるタイミング信号に基づいて、走査ドライバ１２０やデータドライバ１３０に対して供給する走査制御信号及びデータ制御信号を生成する。
【００５６】
＜表示画素の具体例＞
次いで、上述した表示パネルに配列される表示画素の具体回路例について、図面を参照して説明する。
図３は、本発明に係る表示装置に適用可能な表示画素（発光駆動回路）の具体回路例を示す回路構成図であり、図４は、本実施例に係る発光駆動回路の動作状態を示す概念図である。図５は、本実施例に係る発光駆動回路を適用した表示画素の基本動作を示すタイミングチャ−トである。また、図６は、本実施例に係る表示画素を適用した表示装置の一構成例を示す概略ブロック図である。
【００５７】
本実施例に係る表示画素ＥＭは、図３に示すように、概略、上述した走査ドライバ１２０から印加される走査信号Ｖｓｅｌに基づいて表示画素ＥＭを選択状態に設定し、該選択状態においてデータドライバ１３０から供給される階調電流Ｉｐｉｘを取り込み、該階調電流Ｉｐｉｘに応じた発光駆動電流を発光素子に流す発光駆動回路ＤＣと、発光駆動回路ＤＣから供給される発光駆動電流に基づいて、所定の輝度階調で発光動作する有機ＥＬ素子ＯＥＬ等の電流制御型の発光素子と、を有して構成されている。
【００５８】
発光駆動回路ＤＣは、例えば、図３に示すように、ゲート端子が走査ラインＳＬに、ソース端子が電源ラインＶＬ（電源電圧Ｖｓｃ）に、ドレイン端子が接点Ｎ１に各々接続されたｎチャネル型の薄膜トランジスタＴｒ１１と、ゲート端子が走査ラインＳＬに、ソース端子及びドレイン端子がデータラインＤＬ及び接点Ｎ１２に各々接続されたｎチャネル型の薄膜トランジスタＴｒ１２と、ゲート端子が接点Ｎ１１に、ソース端子及びドレイン端子が電源ラインＶＬ及び接点Ｎ１２に各々接続されたｎチャネル型の薄膜トランジスタ（発光駆動手段）Ｔｒ１３と、接点Ｎ１１及び接点Ｎ１２間に接続されたコンデンサ（電荷保持手段）Ｃｓと、を備えた構成を有し、有機ＥＬ素子ＯＥＬのアノード端子が接点Ｎ１２に、カソード端子が接地電位に各々接続されている。ここで、コンデンサＣｓは、薄膜トランジスタＴｒ１３のゲート−ソース間に形成される寄生容量であってもよい。
【００５９】
このような構成を有する発光駆動回路ＤＣにおける発光素子（有機ＥＬ素子ＯＥＬ）の発光駆動制御は、例えば、図５に示すように、一走査期間Ｔｓｃを１サイクルとして、該一走査期間Ｔｓｃ内に、走査ラインＳＬに接続された表示画素を選択して表示データに対応する階調電流Ｉｐｉｘを書き込み、電圧成分として保持する選択期間（書込動作期間）Ｔｓｅと、該選択期間Ｔｓｅに書き込み、保持された電圧成分に基づいて、上記表示データに応じた発光駆動電流を有機ＥＬ素子ＯＥＬに供給して、所定の輝度階調で発光動作させる非選択期間（発光動作期間）Ｔｎｓｅと、を設定することにより実行される（Ｔｓｃ＝Ｔｓｅ＋Ｔｎｓｅ）。ここで、各行の表示画素ＥＭが接続された各走査ラインＳＬごとに設定される選択期間Ｔｓｅは、相互に時間的な重なりが生じないように設定される。
【００６０】
（選択期間）
すなわち、表示画素の選択期間Ｔｓｅにおいては、図５に示すように、まず、走査ドライバ１２０から特定の走査ラインＳＬに対して、ハイレベルの走査信号Ｖｓｅｌ（Ｖｓｌｈ）が印加されて当該行の表示画素が選択状態に設定されるとともに、当該行の表示画素の電源ラインＶＬに対して、ローレベルの電源電圧Ｖｓｃｌが印加される。また、このタイミングに同期して、データドライバ１３０から当該行の表示画素に対応する電流値を有する負極性の階調電流（−Ｉｐｉｘ）が各データラインＤＬに供給される。
【００６１】
これにより、発光駆動回路ＤＣを構成する薄膜トランジスタＴｒ１１及びＴｒ１２がオン動作して、ローレベルの電源電圧Ｖｓｃ（Ｖｓｃｌ）が接点Ｎ１１（すなわち、薄膜トランジスタＴｒ１３のゲート端子及びコンデンサＣｓの一端）に印加されるとともに、データラインＤＬを介して負極性の階調電流（−Ｉｐｉｘ）を引き込む動作が行われることにより、ローレベルの電源電圧Ｖｓｃｌよりも低電位の電圧レベルが接点Ｎ１２（すなわち、薄膜トランジスタＴｒ１３のソース端子及びコンデンサＣｓの他端）に印加される。
【００６２】
このように、接点Ｎ１１及びＮ１２間（薄膜トランジスタＴｒ１３のゲート−ソース間）に電位差が生じることにより、薄膜トランジスタＴｒ１３がオン動作して、図４（ａ）に示すように、電源ラインＶＬから薄膜トランジスタＴｒ１３、接点Ｎ１２、薄膜トランジスタＴｒ１２、データラインＤＬを介して、データドライバ１３０に、階調電流Ｉｐｉｘの電流値に対応した書込電流Ｉａが流れる。
【００６３】
このとき、コンデンサＣｓには、接点Ｎ１１及びＮ１２間（薄膜トランジスタのＴｒ１３のゲート−ソース間）に生じた電位差に対応する電荷が蓄積され、電圧成分として保持される（充電される）。また、電源ラインＶＬには、接地電位以下の電圧レベルを有する電源電圧Ｖｓｃｌが印加され、さらに、書込電流ＩａがデータラインＤＬ方向に流れるように制御されていることから、有機ＥＬ素子ＯＥＬのアノード端子（接点Ｎ１２）に印加される電位はカソード端子の電位（接地電位）よりも低くなり、有機ＥＬ素子ＯＥＬに逆バイアス電圧が印加されていることになるため、有機ＥＬ素子ＯＥＬには駆動電流が流れず、発光動作は行われない。
【００６４】
（非選択期間）
次いで、選択期間Ｔｓｅ終了後の非選択期間Ｔｎｓｅにおいては、図５に示すように、走査ドライバ１２０から特定の走査ラインＳＬに対して、ローレベルの走査信号Ｖｓｅｌ（Ｖｓｌｌ）が印加されて当該行の表示画素が非選択状態に設定されるとともに、当該行の表示画素の電源ラインＶＬに対して、ハイレベルの電源電圧Ｖｓｃｈが印加される。また、このタイミングに同期して、データドライバ１３０による階調電流Ｉｐｉｘの引き込み動作が停止される。
【００６５】
これにより、発光駆動回路ＤＣを構成する薄膜トランジスタＴｒ１１及びＴｒ１２がオフ動作して、接点Ｎ１１（すなわち、薄膜トランジスタＴｒ１３のゲート端子及びコンデンサＣｓの一端）への電源電圧Ｖｓｃの印加が遮断されるとともに、接点Ｎ１２（すなわち、薄膜トランジスタＴｒ１３のソース端子及びコンデンサＣｓの他端）へのデータドライバ１３０による階調電流Ｉｐｉｘの引き込み動作に起因する電圧レベルの印加が遮断されるので、コンデンサＣｓは、上述した選択期間において蓄積された電荷を保持する。
【００６６】
このように、コンデンサＣｓが書込動作時の充電電圧を保持することにより、接点Ｎ１１及びＮ１２間（薄膜トランジスタのＴｒ１３のゲート−ソース間）の電位差が保持されることになり、薄膜トランジスタＴｒ１３はオン状態を維持する。また、電源ラインＶＬには、接地電位よりも高い電圧レベルを有する電源電圧Ｖｓｃ（Ｖｓｃｈ）が印加されるので、有機ＥＬ素子ＯＥＬのアノード端子（接点Ｎ２）に印加される電位はカソード端子の電位（接地電位）よりも高くなる。
【００６７】
したがって、図４（ｂ）に示すように、電源ラインＶＬから薄膜トランジスタＴｒ１３、接点Ｎ１２を介して、有機ＥＬ素子ＯＥＬに順バイアス方向に所定の発光駆動電流Ｉｂが流れ、有機ＥＬ素子ＯＥＬが発光する。ここで、コンデンサＣｓにより蓄積された電荷に基づく電位差（充電電圧）は、薄膜トランジスタＴｒ１３において階調電流Ｉｐｉｘに対応した書込電流Ｉａを流下させる場合の電位差に相当するので、有機ＥＬ素子ＯＥＬに流下する発光駆動電流Ｉｂは、上記書込電流Ｉａと同等の電流値を有することになる。これにより、選択期間Ｔｓｅ後の非選択期間Ｔｎｓｅにおいては、選択期間Ｔｓｅに書き込まれた表示データ（階調電流Ｉｐｉｘ）に対応する電圧成分に基づいて、薄膜トランジスタＴｒ１３を介して、発光駆動電流Ｉｂが継続的に供給されることになり、有機ＥＬ素子ＯＥＬは表示データに対応する輝度階調で発光する動作を継続する。
【００６８】
そして、上述した一連の動作を、表示パネル１１０を構成する全ての走査ラインＳＬについて順次繰り返し実行することにより、表示パネル１画面分の表示データが書き込まれて、所定の輝度階調で発光し、所望の画像情報が表示される。
ここで、本実施例に係る発光駆動回路ＤＣに適用される薄膜トランジスタＴｒ１１〜Ｔｒ１３については、特に限定するものではないが、薄膜トランジスタＴｒ１１〜Ｔｒ１３を全てｎチャネル型の薄膜トランジスタにより構成することができるため、ｎチャネル型アモルファスシリコンＴＦＴを良好に適用することができる。この場合、すでに確立されたアモルファスシリコン製造技術を適用して、動作特性の安定した発光駆動回路を比較的安価に製造することができる。
【００６９】
また、本実施例に係る発光駆動回路ＤＣにおいて電源ラインＶＬに所定の電源電圧Ｖｃｓを印加する構成としては、例えば、図６に示すように、表示パネル１１０の各走査ラインＳＬに並行に配設された複数の電源ラインＶＬに接続された電源ドライバ１６０を備え、システムコントローラ１４０から供給される電源制御信号に基づいて、走査ドライバ１２０から出力される走査信号Ｖｓｅｌに同期する所定のタイミング（図５参照）で、電源ドライバ１６０から所定の電圧値を有する電源電圧Ｖｃｓを、走査ドライバ１２０により走査信号Ｖｓｅｌが印加される行（選択状態に設定される表示画素ＥＭ）の電源ラインＶＬに対して印加するようにした構成を良好に適用することができる。
【００７０】
なお、上述した表示画素においては、発光駆動回路として３個の薄膜トランジスタを備え、データドライバにより負極性の階調電流を生成して、データラインを介してデータドライバ方向に該階調電流を引き込む形態の電流印加方式に対応した回路構成を示したが、本発明はこの実施例に限定されるものではない。すなわち、少なくとも、電流印加方式に対応した発光駆動回路を備えた表示装置であって、発光素子への発光駆動電流の供給を制御する駆動電流制御手段（薄膜トランジスタＴｒ１１、Ｔｒ１３に相当）を備え、該駆動電流制御手段により、表示データに応じた階調電流を（電圧成分として）保持した後、該階調電流に基づく発光駆動電流を供給して、発光素子を所定の輝度階調で発光動作させるものであれば、他の回路構成を有するものであればよく、例えば、４個の薄膜トランジスタを備えた回路構成を有するものであってもよく、さらには、データドライバにより正極性の階調電流を生成して、データドライバからデータライン方向に該階調電流を印加する（流し込む）形態の回路構成を有するものであってもよい。
【００７１】
また、上述した実施例においては、表示画素を構成する発光素子として、有機ＥＬ素子を適用した構成を示したが、本発明に係る表示装置はこれに限るものではなく、供給される発光駆動電流の電流値に応じて所定の輝度階調で発光動作する電流制御型の発光素子であれば、上述した有機ＥＬ素子の他に、例えば、発光ダイオードやその他の発光素子を適用するものであってもよい。
【００７２】
そして、本発明においては、上述したような構成を有する表示装置において、各表示画素ＥＭへの表示データの書込動作に際し、当該表示画素ＥＭの表示パネル１１０上での配置位置（具体的には、データドライバ１３０から当該表示画素ＥＭまでのデータラインＤＬの配線長）に応じて、階調電流の電流値又は供給時間、もしくは、各表示画素における容量成分を補正制御することにより、いずれの位置に配置された表示画素においても、表示データに応じた階調電流によって表示画素に供給される供給電荷量に対し、当該表示画素に書き込まれる電荷量の割合（書込率）が均一化されるように制御される。以下、実施形態を具体的に説明する。
【００７３】
＜第１の実施形態＞
図７は、本発明に係る表示装置の第１の実施形態に適用可能なデータドライバを示す概略ブロック図である。なお、本実施形態においては、表示画素ＥＭに上述した発光駆動回路（図３参照）を適用し、負極性の階調電流Ｉｐｉｘを生成、供給して、表示画素ＥＭ側からデータドライバ１３０に階調電流Ｉｐｉｘを引き込む方向に流す場合について説明する。
本実施形態に適用されるデータドライバは、システムコントローラ１４０から供給されるデータ制御信号に基づいて、表示信号生成回路１６０から供給される表示データを所定のタイミングで取り込み、該表示データ及び表示画素の配置位置に対応した電流値を有する階調電流に変換して各データラインに供給する。
【００７４】
具体的には、図７に示すように、データドライバ１３０Ａは、システムコントローラ１４０からデータ制御信号として供給されるシフトクロック信号ＣＬＫに基づいて、サンプリングスタート信号ＳＴＲを順次シフトしつつシフト信号を出力するシフトレジスタ回路１３１Ａと、該シフト信号の入力タイミングに基づいて、表示信号生成回路１６０から供給される１行分の表示データＤ０〜Ｄｍ（デジタルデータ）を順次取り込むデータレジスタ回路１３２Ａと、データラッチ信号ＳＴＢに基づいて、データレジスタ回路１３２Ａにより取り込まれた１行分の表示データＤ０〜Ｄｍを保持するデータラッチ回路１３３Ａと、図示を省略した電源供給手段から供給される階調基準電圧Ｖ０〜Ｖｐに基づいて、上記保持された表示データＤ０〜Ｄｍを所定のアナログ信号電圧（階調電圧Ｖｐｉｘ）に変換するＤ／Ａコンバ−タ（デジタル−アナログ変換器）１３４Ａと、アナログ信号電圧に変換された表示データに対応する信号電流Ｉｃを生成し、システムコントローラ１４０から供給される出力イネ−ブル信号ＯＥに基づいて、該信号電流Ｉｃを一斉に出力する電圧電流変換・電流供給回路１３５Ａと、上記データレジスタ回路１３２Ａにおいて取り込んだ表示データＤ０〜Ｄｍが書き込まれる各表示画素ＥＭの表示パネル１１０上での配置位置に応じて、上記信号電流Ｉｃの電流値を補正して、階調電流Ｉｐｉｘとして各データラインＤＬを介して各表示画素ＥＭに供給する電流値補正回路（電流供給制御手段）１３６Ａと、を有して構成されている。
【００７５】
（電圧電流変換・電流供給回路）
図８は、本実施形態に係るデータドライバに適用可能な電圧電流変換・電流供給回路の一例を示す回路構成図である。
上述した電圧電流変換・電流供給回路１３５Ａに適用可能であって、各データラインＤＬごとに設けられる回路構成としては、例えば、図８に示すように、一方の入力端子（負入力（−））に、入力抵抗Ｒを介して逆極性の階調電圧（−Ｖｐｉｘ）が入力され、他方の入力端子（正入力（＋））に、入力抵抗Ｒを介して基準電圧（接地電位）が入力されるとともに、出力端子が帰還抵抗Ｒを介して一方の入力端子（−）に接続されたオペアンプＯＰ１と、オペアンプＯＰ１の出力端子に出力抵抗Ｒを介して設けられた接点ＮＡの電位が、一方の入力端子（＋）に入力され、出力端子が他方の入力端子（−）に接続されるとともに、出力抵抗Ｒを介してオペアンプＯＰ１の他方の入力端子（＋）に基準電圧（接地電位）を入力し、出力端子が帰還抵抗Ｒを介して一方の入力端子接続されたオペアンプＯＰ２と、接点ＮＡに、システムコントローラ１４０から供給される出力イネ−ブル信号ＯＥに基づいてオン／オフ動作し、データラインＤＬへの階調電流Ｉｐｉｘの供給状態（本実施形態においては、生成される階調電流Ｉｐｉｘが負極性となるので、当該電流を引き込む動作状態）を制御するスイッチング手段ＳＷと、を備えた構成を有している。
このような電圧電流変換・電流供給回路１３５Ａによれば、入力される負極性の階調電圧（−Ｖｐｉｘ）に対して、−Ｉｐｉｘ＝（−Ｖｐｉｘ）／Ｒからなる負極性の階調電流（−Ｉｐｉｘ）が生成され、出力イネーブル信号ＯＥに基づいて、電流値補正回路１３６Ａを介して各データラインＤＬに供給される。
【００７６】
（電流値補正回路）
図９は、本実施形態に係るデータドライバに適用可能な電流値補正回路における補正処理のための特性曲線を示す図である。
また、電流値補正回路１３６Ａは、電圧電流変換・電流供給回路１３５Ａにより生成された、表示画素ＥＭごとの信号電流Ｉｃに対して、当該表示画素ＥＭの表示パネル１１０上での配置位置、すなわち、データドライバ１３０Ａから伸延して配設されたデータラインＤＬの、データドライバ１３０Ａと表示画素ＥＭ間の配線長（換言すれば、表示データＤ０〜Ｄｍが書き込まれる表示画素ＥＭの行番号又は走査ラインＳＬの位置に相当する）に応じて、電流値を補正する処理を実行する。
【００７７】
ここで、電流値補正回路１３６Ａにおける電流値補正処理において、データドライバ１３０Ａ（データレジスタ回路１３２Ａ）に取り込まれた表示データＤ０〜Ｄｍが書き込まれる表示画素ＥＭの配置位置を示す情報（位置情報ＰＯＳ）は、例えば、走査ドライバ１２０及びデータドライバ１３０Ａの動作状態を制御するシステムコントローラ１４０から供給されるものであってもよいし、表示信号生成回路１５０から供給される表示データＤ０〜Ｄｍに付加情報として設定されるものであってもよいし、走査ドライバ１２０における走査信号Ｖｓｅｌの印加状態に基づくものであってもよい。
【００７８】
そして、電流値補正回路１３６Ａにおける電流値補正処理は、具体的には、図１９、図２０に示したように、表示画素ＥＭの配置位置がデータドライバ１３０Ａから離れるほど、データラインＤＬに寄生する配線容量（容量成分）や配線抵抗の影響を受けて表示データ（階調電流）の書込動作に遅延を生じ、書込率が低下することから、図９に示すような特性曲線Ｓｒに基づいて、この書込率の低下を補完するように、補正係数αを規定し、例えば、階調電流Ｉｐｉｘの電流値として、上記信号電流Ｉｃの電流値（基本電流値）に当該補正係数αを乗算した数値に設定する。
【００７９】
すなわち、データドライバ１３０Ａの直近に配置された表示画素ＥＭに対しては、データラインＤＬの配線容量や配線抵抗の影響をほとんど受けないので、電圧電流変換・電流供給回路１３５Ａにより生成された信号電流Ｉｃがそのまま階調電流Ｉｐｉｘとして出力されるように、図９の規格化位置“０”において規格化電流が“１”となるように補正係数α（＝１）を設定する。
一方、データラインＤＬの配線長が長くなる位置に配置された表示画素ＥＭにおいては、データラインＤＬの配線容量や配線抵抗の影響を受けて図２０に示したように書込率が低下するので、該書込率を、データドライバ１３０Ａの直近に配置された表示画素ＥＭの書込率と同等程度（例えば、１００％、もしくは、１００％に近似する書込率）となるように、図９の規格化位置に応じて規格化電流が大きくなるように補正係数α（＞１）を設定し、階調電流Ｉｐｉｘの電流値を大きく設定する。
【００８０】
具体的には、図２１に示した表示画素における入力電流（規格化電流）に対する出力輝度（規格化輝度）の関係図において、例えば、規格化輝度０．０４の出力を、表示パネルの全域で実現する場合、データドライバ１３０Ａの直近の位置（規格化位置“０”）に配置された表示画素ＥＭに対しては、規格化電流Ｉ１＝０．０４となる階調電流Ｉｐｉｘを供給し、データドライバ１３０Ａから最遠方の位置（規格化位置“１”）に配置された表示画素ＥＭに対しては、規格化電流Ｉ２＝０．０８〜０．０９となるように電流値を補正した階調電流Ｉｐｉｘを供給する。
【００８１】
ここで、電流値補正処理における補正係数又は規格化電流の設定手法は、図９に示したように、データラインの配線長に応じて予め判明している配線容量や配線抵抗の影響（図２０参照）に基づいて、書込率を均一化するように補正係数又は規格化電流を規定した特性曲線Ｓｒの相関関係から、表示パネル１１０の仕様（画素数や走査線数等）に基づいて予め判明している各表示画素ＥＭの配置位置に対応する規格化位置の補正係数又は規格化電流のみを抽出した補正テーブルを備え、該補正テーブルを参照することにより、補正係数を一義的に求めるものであってもよいし、図９に示した特性曲線Ｓｒから、表示画素の配置位置（規格化位置）対する補正係数を一義的に求めるものであってもよい。
【００８２】
したがって、本実施形態に係るデータドライバ１３０Ａによれば、表示データに応じた信号電流Ｉｃが生成され、さらに、該表示データが書き込まれる表示画素ＥＭの配置位置（データラインＤＬの配線長）に応じた電流値に補正された階調電流Ｉｐｉｘが、所定のタイミングでデータラインＤＬに供給されることにより、表示パネル１１０上での表示画素ＥＭの配置位置（データラインＤＬの配線長）に関わらず、各表示画素ＥＭへの書込率が均一になるように制御される。
【００８３】
なお、本実施形態においては、電流値補正回路１３６Ａを、データドライバ１３０Ａに設けられた他の構成とは独立した構成として示したが、本発明はこれに限定されるものではなく、例えば、電圧電流変換・電流供給回路１３５Ａと一体的に構成するものであってもよいし、電圧電流変換・電流供給回路１３５Ａを構成する各能動素子の特性を、上記補正係数に応じて調整制御して、生成される信号電流Ｉｃの電流値を、表示画素の配置位置に応じた数値に設定し、そのまま階調電流ＩｐｉｘとしてデータラインＤＬに供給するようにしたものであってもよい。
【００８４】
（表示装置の駆動制御動作）
次いで、上述したデータドライバを適用した表示装置における駆動制御動作について、図面を参照して説明する。
図１０は、本実施形態に係る表示装置における画像情報の表示タイミングを示すタイミングチャ−トである。ここで、図５に示した各表示画素における発光駆動回路の基本動作を適宜参照するものとする。
本実施形態に係る表示装置における駆動制御動作は、図１０に示すように、上述した発光駆動回路における動作と同様に、一走査期間Ｔｓｃ内に選択期間（書込動作期間）Ｔｓｅ及び非選択期間（発光動作期間）Ｔｎｓｅを設定することにより実行される（Ｔｓｃ＝Ｔｓｅ＋Ｔｎｓｅ）。
【００８５】
（選択期間）
すなわち、本実施形態に係る表示装置に設定される選択期間Ｔｓｅにおいては、図１０に示すように、まず、走査ドライバ１２０から特定の走査ラインＳＬに対して、選択レベルの走査信号Ｖｓｅｌ（Ｖｓｌｈ）が印加されるとともに、当該行の表示画素の電源ラインＶＬに対して、ローレベルの電源電圧Ｖｓｃｌが印加されて、当該行の表示画素が選択状態に設定される。
また、この選択期間Ｔｓｅにおいては、選択期間Ｔｓｅ開始後の特定の期間、データドライバ１３０Ａから各データラインＤＬにリセット電圧（０Ｖ；リセット信号）が印加されて、各データラインＤＬに寄生する配線容量や表示画素ＥＭ等に保持されていた電荷を放電して初期化するリセット動作（リセット期間Ｔｒｔ）を実行した後、上述したようなデータドライバ１３０Ａにより、当該行の表示画素ＥＭの配置位置（データラインの配線長）に対応するように補正された電流値を有する負極性の階調電流（−Ｉｐｉｘ）が各データラインＤＬに供給される（電流供給期間Ｔａ）。
【００８６】
これにより、当該行の表示画素ＥＭに設けられた発光駆動回路ＤＣに、リセット期間Ｔｒｔにおいては、リセット電圧が印加されてコンデンサＣｓ等に保持されていた電荷が放電されて初期化され、その後の電流供給期間Ｔａにおいては、データラインＤＬを介して負極性の階調電流（−Ｉｐｉｘ）が供給されることにより、図４（ａ）に示した場合と同様に、データラインＤＬを介してデータドライバ１３０Ａ方向に、階調電流Ｉｐｉｘの電流値に対応した書込電流Ｉａが流れるとともに、コンデンサＣｓに書込電流Ｉａに応じた電荷が蓄積され、電圧成分として保持される。このとき、有機ＥＬ素子ＯＥＬには逆バイアス電圧が印加されるように各印加電圧が設定されて、有機ＥＬ素子ＯＥＬは非発光状態を維持する。
【００８７】
ここで、データドライバ１３０からデータラインＤＬを介して各表示画素に供給される階調電流Ｉｐｉｘは、図９に示したように、該表示画素ＥＭの表示パネル１１０上での配置位置（すなわち、行番号；規格化位置）に対応して、データドライバ１３０からの距離（データラインＤＬの配線長）が長くなるほど、階調電流Ｉｐｉｘの規格化電流の値が大きくなるように電流値が補正されるので、該表示画素ＥＭの表示パネル１１０上の配置位置（データラインＤＬの配線長）に関わらず、選択期間Ｔｓｅ（詳しくは、電流供給期間Ｔａ）に、同一階調の表示データに対して略同等の電荷量（データドライバ１３０Ａ直近の規格化位置“０”における表示画素ＥＭのコンデンサＣｓと同等の電荷量）が、表示パネル１１０の各表示画素ＥＭのコンデンサＣｓに蓄積される。
【００８８】
（非選択期間）
次いで、選択期間Ｔｓｅ終了後の非選択期間Ｔｎｓｅにおいては、図１０に示すように、走査ドライバ１２０から特定の走査ラインＳＬに対して、非選択レベルの走査信号Ｖｓｅｌ（Ｖｓｌｌ）が印加されるとともに、当該行の表示画素ＥＭの電源ラインＶＬに対して、ハイレベルの電源電圧Ｖｓｃｈが印加されて、当該行の表示画素ＥＭが非選択状態に設定される。また、このタイミングに同期して、データドライバ１３０Ａによる階調電流Ｉｐｉｘの引き込み動作が停止される。
【００８９】
これにより、当該表示画素ＥＭとデータラインＤＬとの電気的な接続が遮断されるとともに、上述した選択期間ＴｓｅにおいてコンデンサＣｓに蓄積された電荷（充電電圧）が保持されることにより、図４（ｂ）に示した場合と同様に、有機ＥＬ素子ＯＥＬに対して順バイアス方向に、上記書込電流Ｉａと同等の電流値を有する発光駆動電流Ｉｂが流れ、表示データに対応する輝度階調で有機ＥＬ素子ＯＥＬが発光する動作を継続する。
そして、上述した一連の動作を、表示パネル１１０を構成する全ての走査ラインＳＬについて、データドライバ１３０Ａから供給する階調電流Ｉｐｉｘの規格化電流の値を補正しつつ、順次繰り返し実行することにより、表示パネル１画面分の表示データが、表示画素ＥＭの配置位置に関わらず、均一に書き込まれて、所定の輝度階調で発光し、所望の画像情報が表示される。
【００９０】
したがって、表示パネルのいずれの位置に配置された表示画素においても、同一階調で同一発光輝度となるように階調電流の電流値が補正されて供給され、データドライバ直近に配置された表示画素と同等の書込率で表示データが書き込まれるので、データドライバからのデータラインに寄生する配線容量や配線抵抗の影響を抑制して、表示パネルの全域で輝度階調の均一化を図ることができ、表示画質の向上を図ることができる。
また、データドライバにおいて実行される電流値補正処理における補正係数を制御することにより、各表示画素への表示データの書込速度を向上させることができるので、例えば、表示パネルを高精細化して走査ラインの数を増加させて、選択期間を短く設定した場合であっても、表示データを良好に書込むことができ、表示パネルの高精細化に良好に対応することができる。
【００９１】
＜第２の実施形態＞
次に、本発明に係る表示装置の第２の実施形態について、図面を参照して説明する。
上述した第１の実施形態においては、各表示画素ＥＭに供給する階調電流Ｉｐｉｘの電流値を、当該表示画素ＥＭの表示パネル１１０上での配置位置（データラインＤＬの配線長）に応じて補正処理（調整）する構成及び駆動制御方法について説明したが、本実施形態においては、各表示画素への階調電流Ｉｐｉｘの供給時間を補正処理することにより、いずれの位置に配置された表示画素においても、表示データ（階調電流）の書込率が均一化されるように制御される。
【００９２】
図１１は、本発明に係る表示装置の第２の実施形態に適用可能なデータドライバの一構成例を示す概略ブロック図である。ここで、上述した実施形態に示したデータドライバと同一の構成については、同等の符号を付してその説明を簡略化又は省略する。
本実施例では、表示画素に設定される選択期間を補正することにより、各表示画素における表示データの書込率を略均一化する構成及び駆動制御方法について説明する。
【００９３】
図１１に示すように、本実施例に適用されるデータドライバ１３０Ｂは、上述した第１の実施形態に示したデータドライバ１３０Ａと同様の構成及び機能を有するシフトレジスタ回路１３１Ｂ、データレジスタ回路１３２Ｂ、データラッチ回路１３３Ｂ、Ｄ／Ａコンバ−タ１３４Ｂと、アナログ信号電圧に変換された表示データ（階調電圧Ｖｐｉｘ）に対応する階調電流Ｉｐｉｘを生成し、出力イネ−ブル信号ＯＥに基づくタイミング及び一定の信号幅（パルス幅）で、該階調電流Ｉｐｉｘを各データラインＤＬを介して各表示画素ＥＭに一斉に供給する電圧電流変換・電流供給回路１３５Ｂと、を有して構成されている。
【００９４】
また、本実施例に適用される走査ドライバ（図示を省略）は、上述した走査ドライバ１２０と同様の構成及び機能を有するシフトブロックに加え、各シフトブロックの出力部に（すなわち、各走査ラインＳＬに対応させて）、各走査ラインＳＬに接続された表示画素ＥＭの表示パネル１１０上での配置位置に応じて、走査信号Ｖｓｅｌの印加時間を個別に設定した印加時間設定部（図示を省略；電流供給制御手段）が設けられた構成を有している。
【００９５】
ここで、印加時間設定部により設定される、各走査ラインにおける走査信号Ｖｓｅｌの印加時間（選択期間の時間幅）は、図１９、図２０に示したように、表示画素ＥＭの配置位置（表示画素ＥＭの行番号又は走査ラインＳＬの位置）がデータドライバ１３０Ａから離れるほど、表示データの書込率が低下することから、上述した第１の実施形態において図９に示したような特性曲線Ｓｒに基づいて、各走査ライン（行）ごとの補正係数α（≧１）を規定し、例えば、１行目（データドライバ直近）の走査ラインＳＬにおける走査信号の印加時間（基本印加時間；基準値）を基準として、２行目以降の各走査ラインごとの印加時間を、該基本印加時間に各走査ラインごとに設定された補正係数αを乗算した数値に設定する。
【００９６】
すなわち、データドライバ１３０Ｂの直近に配設された走査ラインに接続された表示画素ＥＭに対しては、データラインＤＬの配線容量や配線抵抗の影響をほとんど受けないので、データドライバ１３０Ｂにより生成された階調電流Ｉｐｉｘが比較的短い時間だけ、当該行の表示画素ＥＭに供給されるように、走査信号Ｖｓｅｌの印加時間により設定される選択期間が、上記基本印加時間程度に短く設定される。
【００９７】
一方、データラインＤＬの配線長が長くなる位置に配置された表示画素ＥＭにおいては、データラインＤＬの配線容量や配線抵抗の影響を受けて図２０に示したように書込率が低下するので、該書込率を、データドライバ１３０Ａの直近に配置された表示画素ＥＭの書込率と同等程度（例えば、１００％、もしくは、１００％に近似する書込率）となるように補正係数α（＞１）を設定し、階調電流Ｉｐｉｘが比較的長い時間、当該行の表示画素に供給されるように選択期間（基本印加時間×α）が設定される。
【００９８】
（表示装置の駆動制御動作）
次いで、上述した構成を有する表示装置における駆動制御動作について、図面を参照して説明する。
図１２は、本実施例に係る表示装置における画像情報の表示タイミングを示すタイミングチャ−トである。ここで、図５に示した各表示画素における発光駆動回路の基本動作を適宜参照するものとする。
本実施例に係る表示装置の駆動制御動作においては、一走査期間Ｔｓｃ内に、各行ごとに順次時間幅が異なるように設定される選択期間Ｔｓｅ（Ｔｓｅ１、Ｔｓｅ２、・・・ＴｓｅＮ）、及び、一定の時間幅に設定された非選択期間Ｔｎｓｅを設定することにより実行される。
【００９９】
（選択期間）
まず、図１２に示すように、一走査期間のＴｓｃの開始タイミングに同期して、一定の時間に設定された電流供給期間Ｔｃに、図１１に示した構成を有するデータドライバ１３０Ｂにより、当該行の表示画素ＥＭにおける表示データに対応するように電流値が設定された負極性の階調電流（−Ｉｐｉｘ）が、各データラインＤＬに供給される。
そして、この電流供給期間Ｔｃ内であって、所定のブランク期間Ｔｂの経過後に、走査ドライバ１２０から特定の走査ラインＳＬに対して走査信号Ｖｓｅｌ（Ｖｓｌｈ）が印加されるとともに、当該行の電源ラインＶＬに対して電源ドライバ１６０から電源電圧Ｖｓｃｌが印加されて、当該行の表示画素ＥＭが選択状態に設定される（選択期間Ｔｓｅ＝Ｔｓｅ１、Ｔｓｅ２、・・・ＴｓｅＮ）。
【０１００】
ここで、選択期間Ｔｓｅを規定する走査信号Ｖｓｅｌの印加タイミング（すなわち、ブランク期間Ｔｂ）は、電流供給期間Ｔｃの終了タイミングと選択期間Ｔｓｅの終了タイミングが同期するように設定される。また、選択期間Ｔｓｅは、当該行の表示画素ＥＭの配置位置（データラインＤＬの配線長）に対応して予め設定された補正係数αに基づいて、上記基準印加時間（１行目の走査ラインＳＬにおける選択期間Ｔｓｅ１に相当する）に当該補正係数αを乗算した時間に設定される。また、選択期間Ｔｓｅは、少なくとも、データドライバ１３０Ｂから最遠方となる位置に配設された行の走査ラインＳＬ（すなわち、最終行の走査ライン、又は、規格化位置が“１”となる位置に配置された表示画素ＥＭ）において設定される選択期間Ｔｓｅ（選択期間Ｔｓｅの最大値）が、一定の時間幅に設定された電流供給期間Ｔｃと同等又はそれ以下となるように、上記補正係数αが設定される。
【０１０１】
これにより、当該行の表示画素ＥＭに設けられた発光駆動回路ＤＣに、電流供給期間Ｔｃのうち、ブランク期間Ｔｂが経過した後に設定される選択期間Ｔｓｅにおいて、データラインＤＬを介して負極性の階調電流（−Ｉｐｉｘ）が供給されることにより、図４（ａ）に示した場合と同様に、階調電流Ｉｐｉｘの電流値に対応した書込電流Ｉａが流れるとともに、コンデンサＣｓに書込電流Ｉａに応じた電荷が蓄積され、電圧成分として保持される。
【０１０２】
ここで、データドライバ１３０からデータラインＤＬを介して各表示画素ＥＭに供給される階調電流Ｉｐｉｘは、表示データに対応した電流値を有し、また、走査ドライバ１２０から走査ラインＳＬに印加される走査信号Ｖｓｅｌにより設定される選択期間Ｔｓｅは、図９に示した場合と同様に、該表示画素ＥＭの表示パネル１１０上での配置位置（すなわち、行番号；規格化位置）に対応して、データドライバ１３０からの距離（データラインＤＬの配線長）が長くなるほど、選択期間Ｔｓｅに設定される時間が長くなるように補正されるので、該表示画素ＥＭの表示パネル１１０上の配置位置（データラインＤＬの配線長）に関わらず、各選択期間Ｔｓｅに、同一階調の表示データに対して略同等の電荷量が各表示画素ＥＭのコンデンサＣｓに蓄積される。
【０１０３】
（非選択期間）
次いで、選択期間Ｔｓｅ（電流供給期間Ｔｃ）終了後の非選択期間Ｔｎｓｅにおいては、図１２に示すように、上述した第１の実施形態と同様に、当該行の表示画素ＥＭが非選択状態に設定されるとともに、データドライバ１３０Ａによる階調電流Ｉｐｉｘの引き込み動作が停止される。
これにより、選択期間Ｔｓｅにおいて当該表示画素ＥＭのコンデンサＣｓに蓄積された電荷（充電電圧）が保持されて、図４（ｂ）に示した場合と同様に、有機ＥＬ素子ＯＥＬに対して、上記書込電流Ｉａと同等の電流値を有する発光駆動電流Ｉｂが流れ、表示データに対応する輝度階調で有機ＥＬ素子ＯＥＬが発光する動作を継続する。
【０１０４】
したがって、表示パネルのいずれの位置に配置された表示画素においても、同一階調で同一発光輝度となるように階調電流の供給時間（表示画素の選択期間）が補正されて、データドライバ直近に配置された表示画素と同等の書込率で表示データが書き込まれるので、データドライバからのデータラインに寄生する配線容量や配線抵抗の影響を抑制して、表示パネルの全域で輝度階調の均一化を図ることができ、表示画質の向上を図ることができる。
【０１０５】
また、本実施例に係る表示装置においては、表示パネル上における各表示画素の配置位置（各走査ラインの配設位置）に応じて、各走査ラインごとの選択期間の時間幅（例えば、各走査ラインごとに設けられる印加時間設定部における、各走査信号の印加時間）を予め固定的に設定しておくことができるので、駆動制御動作に対する処理負担を軽減することができるとともに、既存のデータドライバをそのまま適用することができ、表示パネルの全域で輝度階調を均一化して表示画質を向上した表示装置を簡易に実現することができる。
【０１０６】
次に、本発明に係る表示装置の第２の実施形態に適用される他の実施例について、図面を参照して説明する。
図１３は、本発明に係る表示装置の第２の実施形態に適用可能なデータドライバの他の構成例を示す概略ブロック図である。ここで、上述した実施形態に示したデータドライバと同一の構成については、同等の符号を付してその説明を簡略化又は省略する。
【０１０７】
上述した実施例においては、各表示画素ＥＭへの表示データの書込みに際し、走査ドライバにより設定される選択期間の時間幅を、当該表示画素ＥＭの表示パネル１１０上での配置位置（データラインＤＬの配線長）に応じて補正する構成及び駆動制御方法について説明したが、本実施例においては、データドライバによる階調電流Ｉｐｉｘの供給時間（電流供給期間の時間幅）を補正処理することにより、いずれの位置に配置された表示画素においても、表示データ（階調電流）の書込率が均一化されるように制御される。
【０１０８】
図１３に示すように、本実施形態に適用されるデータドライバ１３Ｃは、上述した実施例に示したデータドライバ１３０Ｂと同様の構成及び機能を有するシフトレジスタ回路１３１Ｃ、データレジスタ回路１３２Ｃ、データラッチ回路１３３Ｃ、Ｄ／Ａコンバ−タ１３４Ｃ、電圧電流変換・電流供給回路１３５Ｃと、上記データレジスタ回路１３２Ｃにおいて取り込んだ表示データＤ０〜Ｄｍが書き込まれる各表示画素ＥＭの表示パネル１１０上での配置位置に応じて、電圧電流変換・電流供給回路１３５Ｃにより生成された階調電流ＩｐｉｘをデータラインＤＬ（各表示画素ＥＭ）に供給する電流供給期間（電流供給パルスのパルス幅）を補正する供給時間補正回路（電流供給制御手段）１３６Ｃと、を有して構成されている。
【０１０９】
ここで、供給時間補正回路１３６Ｃにより設定される、各表示画素ＥＭへの階調電流Ｉｐｉｘの供給時間は、上述した第１の実施形態において図９に示したような特性曲線Ｓｒに基づく補正テーブルを用いて、各行の表示画素ごとの補正係数α（≧１）を抽出し、例えば、１行目（データドライバ直近）の表示画素における階調電流Ｉｐｉｘの供給時間（基本供給時間；基準値）を基準として、２行目以降の各行ごとの供給時間を、該基本供給時間に各行ごとに設定された補正係数αを乗算した数値に設定する。
【０１１０】
すなわち、データドライバ１３０Ｃの直近に配設された走査ラインＳＬに接続された表示画素ＥＭに対しては、データラインＤＬの配線容量や配線抵抗の影響をほとんど受けないので、データドライバ１３０Ｃにより生成された階調電流Ｉｐｉｘが比較的短い時間だけ、当該行の表示画素ＥＭに供給されるように、データドライバ１３０Ｃからの階調電流Ｉｐｉｘの供給時間が、上記基本供給時間程度に短く設定される。
【０１１１】
一方、データラインＤＬの配線長が長くなる位置に配置された表示画素ＥＭにおいては、データラインＤＬの配線容量や配線抵抗の影響を受けて図２０に示したように書込率が低下するので、該書込率を、データドライバ１３０Ｃの直近に配置された表示画素ＥＭの書込率と同等程度（例えば、１００％、もしくは、１００％に近似する書込率）となるように補正係数α（＞１）を設定し、階調電流Ｉｐｉｘが比較的長い時間、当該行の表示画素ＥＭに供給されるように電流供給時間（基本供給時間×α）が設定される。
【０１１２】
（表示装置の駆動制御動作）
次いで、上述した構成を有する表示装置における駆動制御動作について、図面を参照して説明する。
図１４は、本実施例に係る表示装置における画像情報の表示タイミングを示すタイミングチャ−トである。ここで、図５に示した各表示画素における発光駆動回路の基本動作を適宜参照するものとする。
本実施例に係る表示装置の駆動制御動作においては、一走査期間Ｔｓｃ内に、各々一定の時間幅に設定された選択期間Ｔｓｅ及び非選択期間Ｔｎｓｅを設定することにより実行される（Ｔｓｃ＝Ｔｓｅ＋Ｔｎｓｅ）。
【０１１３】
（選択期間）
すなわち、選択期間Ｔｓｅにおいては、図１４に示すように、走査ドライバ１２０から特定の走査ラインＳＬに対して走査信号Ｖｓｅｌ（Ｖｓｌｈ）が印加されるとともに、当該行の表示画素の電源ラインＶＬに対して電源電圧Ｖｓｃｌが印加されて、当該行の表示画素が選択状態に設定される（選択期間Ｔｓｅ）。
また、この選択期間Ｔｓｅ内であって、所定のブランク期間Ｔｂの経過後に、図１１に示した構成を有するデータドライバ１３０Ｃにより、当該行の表示画素における表示データに対応するように電流値が設定された負極性の階調電流（−Ｉｐｉｘ）が、各データラインＤＬに供給される（電流供給期間Ｔｃ＝Ｔｃ１、Ｔｃ２、・・・ＴｃＮ）。
【０１１４】
ここで、電流供給期間Ｔｃを規定する電流供給パルスの印加タイミング（すなわち、ブランク期間Ｔｂ）は、選択期間Ｔｓｅの終了タイミングと電流供給期間Ｔｃの終了タイミングが同期するように設定される。また、電流供給期間Ｔｃは、当該行の表示画素ＥＭの配置位置（データラインＤＬの配線長）に対応して予め設定された補正係数に基づいて、上記基準供給時間（１行目の表示画素ＥＭに対する電流供給期間Ｔｃ１に相当する）に対して当該補正係数を乗算した時間に設定される。そして、この電流供給期間Ｔｃの最大値（すなわち、最終行の表示画素ＥＭに対する電流供給期間ＴｃＮ）は、少なくとも、一定の時間幅に設定された上記選択期間Ｔｓｅと同等又はそれ以下の時間に設定されるように、供給時間補正回路１３６Ｃに設定される補正係数αが設定されている。
【０１１５】
これにより、当該行の表示画素ＥＭに設けられた発光駆動回路ＤＣに、選択期間Ｔｓｅのうち、ブランク期間Ｔｂが経過した後に設定される電流供給期間Ｔｃにおいて、データラインＤＬを介して負極性の階調電流（−Ｉｐｉｘ）が供給されることにより、図４（ａ）に示した場合と同様に、階調電流Ｉｐｉｘの電流値に対応した書込電流Ｉａが流れるとともに、コンデンサＣｓに書込電流Ｉａに応じた電荷が蓄積され、電圧成分として保持される。
【０１１６】
ここで、データドライバ１３０ＣからデータラインＤＬを介して各表示画素ＥＭに供給される階調電流Ｉｐｉｘは、表示データに対応した電流値を有するとともに、該階調電流Ｉｐｉｘの供給時間（電流供給期間Ｔｃ）は、各表示画素の表示パネル１１０上での配置位置（すなわち、行番号；規格化位置）に対応して、データドライバ１３０Ｃからの距離（データラインＤＬの配線長）が長くなるほど、供給時間が長くなるように補正されるので、該表示画素ＥＭの表示パネル１１０上の配置位置（データラインＤＬの配線長）に関わらず、同一階調の表示データに対して略同等の電荷量が各表示画素ＥＭのコンデンサＣｓに蓄積される。
【０１１７】
（非選択期間）
次いで、選択期間Ｔｓｅ（電流供給期間Ｔｃ）終了後の非選択期間Ｔｎｓｅにおいては、図１４に示すように、上述した実施例と同様に、当該行の表示画素ＥＭが非選択状態に設定されるとともに、データドライバ１３０Ａによる階調電流Ｉｐｉｘの引き込み動作が停止されることにより、選択期間Ｔｓｅにおいて当該表示画素ＥＭのコンデンサＣｓに蓄積された電荷（充電電圧）が保持されて、図４（ｂ）に示した場合と同様に、有機ＥＬ素子ＯＥＬに対して、上記書込電流Ｉａと同等の電流値を有する発光駆動電流Ｉｂが流れ、表示データに対応する輝度階調で有機ＥＬ素子ＯＥＬが発光する動作を継続する。
【０１１８】
したがって、表示パネルのいずれの位置に配置された表示画素においても、同一階調で同一発光輝度となるように階調電流の供給時間（電流供給期間）が補正されて、データドライバ直近に配置された表示画素と同等の書込率で表示データが書き込まれるので、データドライバからのデータラインに寄生する配線容量や配線抵抗の影響を抑制して、表示パネルに全域で輝度階調の均一化を図ることができ、表示画質の向上を図ることができる。
【０１１９】
なお、本実施形態に係る各実施例においては、データドライバにより表示データに応じた電流値を有する階調電流Ｉｐｉｘを生成して、各表示画素ＥＭに供給する構成及び駆動制御方法について説明したが、本発明はこれに限定されるものではなく、一定の電流値を有する信号電流の信号幅（パルス幅）を、各表示データに応じて設定するパルス幅変調（ＰＷＭ）制御方式を採用した駆動制御方法に適用するものであってもよい。
【０１２０】
図１５は、本発明に係る表示装置の第２の実施形態に適用可能なデータドライバのさらに他の構成例を示す概略ブロック図である。
図１５に示すように、本実施例に適用されるデータドライバ１３０Ｄは、例えば、各列のデータラインＤＬに接続された表示画素ＥＭに供給される階調電流Ｉｐｉｘの電流値を規定する、一定の電流値を有する定電流Ｉｐを生成して出力する定電流発生回路１３１Ｄと、該定電流発生回路１３１Ｄから供給される定電流Ｉｐを、後述する定電流ラッチ回路１３４Ｄの各々へ順次供給するタイミングを設定するシフトレジスタ１３２Ｄと、シフトレジスタ１３２Ｄから所定のタイミングで順次出力されるスイッチ切換信号（シフト出力）ＳＲにより、上記定電流発生回路１３１Ｄから各定電流ラッチ回路１３４Ｄへの定電流Ｉｐの供給状態を制御する複数のスイッチ手段１３３Ｄと、データラインＤＬごとに設けられ、定電流発生回路１３１Ｄから供給される定電流Ｉｐを、シフトレジスタ１３２Ｄに基づく所定のタイミングで各スイッチ手段１３３Ｄを介して順次取り込んで保持（記憶）する複数の定電流ラッチ回路１３４Ｄと、各データラインＤＬに接続され、表示信号生成回路１５０から供給される表示データに含まれる輝度階調成分に基づいて、パルス幅変調（ＰＷＭ）制御によって定電流ラッチ回路１３４Ｄから出力される一定電流値を有する信号電流Ｉｄの信号幅を設定するＰＷＭ制御回路１３５Ｄと、上記ＰＷＭ制御回路１３５Ｄにおいて取り込んだ表示データが書き込まれる各表示画素ＥＭの表示パネル１１０上での配置位置に応じて、ＰＷＭ制御回路１３５Ｄにより設定された信号電流Ｉｄの信号幅を補正し、所定の電流供給期間（電流供給パルスのパルス幅）で、上記信号電流Ｉｄを階調電流Ｉｐｉｘとして各データラインＤＬ（各表示画素ＥＭ）に供給するパルス幅補正回路（電流供給制御手段）１３６Ｄと、を備えて構成されている。
【０１２１】
ここで、パルス幅補正回路１３６Ｄにより設定される、各表示画素ＥＭへの階調電流Ｉｐｉｘの電流供給期間は、上述した第１の実施形態に示したような表示画素の配置位置と補正係数との関係が規定された補正テーブルを用いて、各行の表示画素ごとの補正係数α（≧１）を抽出し、ＰＷＭ制御回路１３５Ｄにおいて各表示データに基づいて設定された信号電流Ｉｄの信号幅に対して、抽出された補正係数αを乗算した信号幅に設定する。そして、この電流供給期間の最大値（すなわち、最終行の表示画素に対して最大階調表示動作を行う場合の電流供給期間）は、少なくとも、一定の時間幅に設定された各行の表示画素ＥＭにおける選択期間Ｔｓｅと同等又はそれ以下の時間に設定されるように、パルス幅補正回路１３６Ｄに設定される補正係数αが設定されている。
【０１２２】
このような構成を有する表示装置における駆動制御動作（駆動制御方法）は、表示画素ＥＭの選択期間中に、表示データ及び表示画素ＥＭの配置位置に対応した電流供給時間（電流供給パルスのパルス幅）で、一定の電流値を有する階調電流Ｉｐｉｘを各表示画素に供給することにより、表示画素ＥＭ（発光素子）の階調制御を行う。
【０１２３】
すなわち、上述したような構成を有する表示装置において、まず、定電流発生回路１３１Ｄから供給される一定の電流値を有する定電流Ｉｐが、シフトレジスタ１３２Ｄから出力されるスイッチ切換信号（シフト出力）ＳＲに基づいて、個別のタイミングで各定電流ラッチ回路に取り込み、保持される。そして、システムコントローラ１４０から出力される出力イネーブル信号ＯＥに基づいて、所定のタイミングで、各データラインＤＬに対応して一定電流値を有する信号電流Ｉｄが一斉に出力され、ＰＷＭ制御回路１３５Ｄにより各表示データに含まれる輝度階調成分に応じて、各信号電流Ｉｄの信号幅が設定される。
【０１２４】
次いで、パルス幅補正回路１３６Ｄにより上記各表示データが書き込まれる表示画素ＥＭの表示パネル１１０上での配置位置に基づいて、予め設定された補正係数αを用いて、上記各信号電流Ｉｄの信号幅に当該補正係数を乗算する補正処理を行い、電流供給期間を設定し、各表示画素に設定される選択期間中の該電流供給期間に、信号電流Ｉｄを階調電流Ｉｐｉｘとして各データラインＤＬを介して表示画素ＥＭに供給する。
これにより、選択状態に設定された表示画素ＥＭに、表示データ及び表示画素の配置位置に応じた電流供給期間、階調電流Ｉｐｉｘ（書込電流Ｉａ）が供給され、該表示画素（発光駆動回路ＤＣ）に設けられたコンデンサＣｓに表示データに応じた電荷が保持される。
【０１２５】
そして、上記選択期間の終了後の非選択期間においては、選択期間において当該表示画素ＥＭのコンデンサＣｓに蓄積された電荷（充電電圧）に基づいて、有機ＥＬ素子ＯＥＬに対して、上記階調電流Ｉｐｉｘ（書込電流Ｉａ）と同等の電流値を有する発光駆動電流Ｉｂが流れ、表示データに対応する輝度階調で有機ＥＬ素子ＯＥＬが発光する動作を継続する。
【０１２６】
したがって、本実施例においても、表示パネルのいずれの位置に配置された表示画素においても、同一階調で同一発光輝度となるように階調電流の供給時間（電流供給期間）が補正されて、表示パネルの全域で表示データが同等の書込率で書き込まれることになるので、データラインに寄生する配線容量や配線抵抗の影響を抑制して、輝度階調の均一化を図ることができ、表示画質の向上を図ることができる。
【０１２７】
なお、本実施形態に示した各実施例においても、上述した第１の実施形態と同様に、各行の表示画素ＥＭに表示データを書き込む動作（階調電流を供給する動作）に先立って、各データラインＤＬ及び表示画素ＥＭにリセット電圧（例えば、０Ｖ）を印加して、データラインＤＬや表示画素ＥＭに保持されている電荷を放電させるリセット動作（リセット期間）を実行するものであってもよい。
これによれば、各表示画素への表示データの書込動作に際し、常に一定の初期化状態に設定されたデータライン及び表示画素に対して、階調電流が供給されることになるので、各表示画素に表示データに適切に対応した電荷が蓄積されることになり、有機ＥＬ素子を適切な輝度階調で発光動作させることができる。
【０１２８】
また、上述したような第１及び第２の本実施形態においては、別個の実施形態として構成及び駆動制御方法を示したが、本発明はこれに限定されるものではなく、例えば、表示データに対応した電流値を有する階調電流の各表示画素への供給に際し、第１の実施形態に示したように、該表示画素の配置位置に応じて該階調電流の電流値を補正する手法に加え、第２の実施形態に示したように、当該表示画素の配置位置に応じて当該階調電流の電流供給期間のパルス幅も補正する手法を適用して、階調電流の電流値と供給期間の双方を調整することにより、表示データ及び表示画素の配置位置により適切に対応した書込動作を行うようにしてもよい。
【０１２９】
＜第３の実施形態＞
次に、本発明に係る表示装置の第３の実施形態について、図面を参照して説明する。
上述した第１及び第２の実施形態においては、表示パネル上の各表示画素の配置位置（データラインの配線長）に基づく表示データの書込率の低下を抑制するために、各表示画素に供給される階調電流の電流値や供給時間を調整する補正処理を行う構成及び駆動制御方法について説明したが、本実施形態においては、データドライバから見た各表示画素における容量負荷を均一化するように構成することにより、いずれの位置に配置された表示画素においても、表示データの書込率が均一化されるように制御される。
【０１３０】
図１６は、本発明に係る表示装置の第３の実施形態に適用可能な表示パネル（表示画素）の一構成例を示す概略構成図である。ここで、上述した各実施形態と同等の構成については、同一の符号を付してその説明を簡略化又は省略する。
本実施例では、表示画素の発光駆動回路に設けられる容量成分（コンデンサＣｓ）に蓄積される電荷量を、当該表示画素の配置位置に応じて補正することにより、各表示画素における表示データの書込率を略均一化する構成及び駆動制御方法について説明する。
【０１３１】
図１６（ａ）、（ｂ）に示すように、本実施例に係る表示パネル１１０Ｅにおいては、マトリクス状に配列された各表示画素ＥＭｉ（ｉ＝１、２、・・・ｎ）の発光駆動回路ＤＣｉに設けられるコンデンサＣｓｉの容量値が、該表示画素ＥＭｉの表示パネル１１０Ｅ上での配置位置に応じて、各々、固定的に設定された構成を有している。
すなわち、図２０に示したように、表示パネル１１０にマトリクス状に配列された各表示画素ＥＭｉにおける表示データ（階調電流）の書込率は、該表示画素ＥＭｉの表示パネル１１０Ｅ上での配置位置（データドライバ１３０からのデータドライバの配線長）に依存し、データドライバの直近の位置に配置された表示画素ＥＭｉ（例えば、ｉ＝１）においては、データラインの配線容量及び配線抵抗の影響をほとんど受けることがないのに対して、データドライバ１３０から離れるにしたがって、配線容量及び配線抵抗の影響を受けて表示データの書込率が低下し、データドライバ１３０から最遠方の位置に配置された表示画素ＥＭｉ（例えば、ｉ＝ｎ）においては、データラインＤＬの略全長分の配線容量の影響を受けることになる。
【０１３２】
そこで、本実施例においては、表示パネル上のいずれの位置に配置された表示画素においても、データドライバから見た容量負荷が略一定になるように、すなわち、データドライバから各表示画素までのデータラインに寄生する配線容量、及び、当該表示画素ＥＭｉの画素駆動回路ＤＣｉに設けられたコンデンサＣｓｉからなる容量成分の総和が略一定になるように、各表示画素ＥＭｉのコンデンサＣｓｉの容量値を設定する。
【０１３３】
具体的には、図１６（ｂ）に示すように、データドライバ１３０から最遠方の位置に配置された表示画素（最終行の表示画素）ＥＭｎにおいては、該表示画素ＥＭｎにおける発光駆動動作に必要な最低限の容量値Ｃ０が発光駆動回路ＤＣｎのコンデンサＣｓｎに設定される。これにより、データドライバ１３０から見た当該表示画素ＥＭｎの容量負荷は、コンデンサＣｓｎの容量値Ｃ０に、データラインＤＬの全長分に相当する配線容量Ｃｘが付加された容量値（Ｃ０＋Ｃｘ）となる。
【０１３４】
一方、データドライバ１３０の直近の位置に配置された表示画素（１行目の表示画素）ＥＭ１においては、上述した発光駆動動作に必要な最低限の容量値Ｃ０に加え、データラインＤＬの全長分に相当する配線容量Ｃｘが付加された容量値（Ｃ０＋Ｃｘ）を、発光駆動回路ＤＣｉのコンデンサＣｓｉに設定する。これにより、データドライバ１３０から見た当該表示画素ＥＭ１の容量負荷は、上述した最遠方に配置された表示画素ＥＭｎと同等の容量値（Ｃ０＋Ｃｘ）を有することになる。
【０１３５】
また、上記以外の位置に配置された表示画素ＥＭｉにおいても、データドライバ１３０から見た当該表示画素ＥＭｉの容量負荷が、容量値（Ｃ０＋Ｃｘ）となるように、コンデンサＣｓｉの容量値が設定される。すなわち、コンデンサＣｓｉは、該表示画素ＥＭｉにおける画素駆動動作に必要な容量値Ｃ０に加え、データラインＤＬの全長から、データドライバＤＬから当該表示画素ＥＭｉまでのデータラインＤＬの配線長分を差し引いた配線長分（すなわち、表示画素ＥＭｉ及び表示画素ＥＭｎ間のデータラインＤＬの配線長）に相当する配線容量Ｃｚが付加された容量値（Ｃ０＋Ｃｚ）を有するように設定される。
【０１３６】
これにより、データドライバ１３０から見た当該表示画素ＥＭｉの容量負荷は、コンデンサＣｓｉの容量値Ｃ０と、データドライバＤＬから当該表示画素ＥＭｉまでのデータラインＤＬの配線長分の容量値（Ｃｘ−Ｃｚ）と、表示画素ＥＭｉから表示画素ＥＭｎまでのデータラインＤＬの配線長分の容量値Ｃｚと、の総和となり、上述した表示画素ＥＭ１、ＥＭｎと同等の容量値（Ｃ０＋Ｃｘ）を有することになる。
【０１３７】
このような構成を有する表示装置によれば、各表示画素への表示データの書込動作において、表示パネルのいずれの位置に配置された表示画素においても、データドライバから見た容量負荷が略均一となるので、各行の表示画素の選択期間や表示データ（階調電流）の供給期間を制御することなく、表示データの書込率を均一化することができ、表示パネル全域における発光輝度を均一化して表示画質の向上を図ることができる。
【０１３８】
また、本実施例に係る表示装置においては、表示パネル上における各表示画素の配置位置に応じて、各表示画素に設けられるコンデンサの容量値を予め固定的に設定しておくことができるので、駆動制御動作に対する処理負担を軽減することができるとともに、既存のデータドライバや走査ドライバをそのまま適用することができ、表示パネルの全域で輝度階調を均一化して表示画質を向上した表示装置を簡易に実現することができる。
【０１３９】
次に、本発明に係る表示装置の第３の実施形態に適用される他の実施例について、図面を参照して説明する。
図１７は、本発明に係る表示装置の第３の実施形態に適用可能な表示パネル（表示画素）の他の構成例を示す概略構成図である。ここで、上述した実施例と同等の構成については、同等の符号を付してその説明を簡略化又は省略する。
【０１４０】
上述した実施例においては、表示画素の表示パネル上での配置位置（データドライバから表示画素までのデータラインＤＬに寄生する配線容量）に応じて、各表示画素に設けられる発光駆動回路のコンデンサの容量値を補正する構成について説明したが、本実施例においては、各表示画素の配置位置（各走査ラインの行番号）に応じて、各行ごとに設けられる電源ライン（信号供給ライン）に付加される容量成分を補正することにより、各表示画素における表示データの書込率を略均一化する。
【０１４１】
図１７に示すように、本実施例に係る表示パネル１１０Ｆにおいては、マトリクス状に配列された各表示画素ＥＭｉの発光駆動回路ＤＣｉに設けられるコンデンサＣｓの容量値が、少なくとも、該表示画素ＥＭｉにおける発光駆動動作に必要な一定の容量値Ｃ０に設定されているとともに、各行の表示画素ＥＭｉごとに配設される電源ラインＶＬに付加される補正容量（容量成分）Ｃｖの容量値Ｃｖｉが、該表示画素ＥＭｉの表示パネル１１０Ｅ上での配置位置（表示画素ＥＭｉの行番号ｉ）に応じて、各々、固定的に設定された構成を有している。
【０１４２】
すなわち、図１７に示すように、データドライバ１３０から最遠方の位置に配置された表示画素（最終行の表示画素）ＥＭｎに接続された電源ラインＶＬｎにおいては、容量値Ｃｖｎが０となる補正容量Ｃｖが付加される（換言すれば、電源ラインＶＬｎに補正容量Ｃｖが付加されない）。これにより、データドライバ１３０から見た当該表示画素ＥＭｎの容量負荷は、コンデンサＣｓｎの容量値Ｃ０に、データラインＤＬの全長分に相当する配線容量Ｃｘが付加された容量値（Ｃ０＋Ｃｘ）となる。
【０１４３】
一方、データドライバ１３０の直近の位置に配置された表示画素（１行目の表示画素）ＥＭ１に接続された電源ラインＶＬ１においては、容量値Ｃｖ１としてデータラインＤＬの全長分に相当する配線容量Ｃｘとなる補正容量Ｃｖが付加される。これにより、データドライバ１３０から見た当該表示画素ＥＭ１の容量負荷は、上述した最遠方に配置された表示画素ＥＭｎと同等の容量値（Ｃ０＋Ｃｘ）を有することになる。
【０１４４】
また、上記以外の位置に配置された表示画素ＥＭｉに接続された電源ラインＶＬｉにおいても、データドライバ１３０から見た当該表示画素ＥＭｉの容量負荷が、容量値（Ｃ０＋Ｃｘ）となるように、補正容量Ｃｖの容量値Ｃｖｉが設定される。すなわち、電源ラインＶＬｉに付加される補正容量Ｃｖは、データラインＤＬの全長から、データドライバＤＬから当該表示画素ＥＭｉまでのデータラインＤＬの配線長分を差し引いた配線長分（すなわち、表示画素ＥＭｉ及び表示画素ＥＭｎ間のデータラインＤＬの配線長）に相当する配線容量Ｃｚが付加された容量値Ｃｚを有するように設定される。
【０１４５】
これにより、データドライバ１３０から見た当該表示画素ＥＭｉの容量負荷は、コンデンサＣｓｉの容量値Ｃ０と、データドライバＤＬから当該表示画素ＥＭｉまでのデータラインＤＬの配線長分の容量値（Ｃｘ−Ｃｚ）と、表示画素ＥＭｉから表示画素ＥＭｎまでのデータラインＤＬの配線長分の容量値Ｃｚと、の総和となり、上述した表示画素ＥＭ１、ＥＭｎと同等の容量値（Ｃ０＋Ｃｘ）を有することになる。
【０１４６】
このような構成を有する表示装置によれば、各表示画素への表示データの書込動作において、表示パネルのいずれの位置に配置された表示画素においても、データドライバから見た容量負荷が略均一となるので、表示データの書込率を均一化することができ、表示パネル全域における発光輝度を均一化して表示画質の向上を図ることができる。
【０１４７】
また、本実施例に係る表示装置においては、表示パネル上における各表示画素の配置位置に応じて、各表示画素に設けられたコンデンサの容量値を個別に補正する必要がなく、各行ごとの表示画素に接続される電源ラインに付加される補正容量の容量値を予め固定的に設定すればよいので、表示データの書込率を簡易な構成で均一化することができるとともに、駆動制御動作に対する処理負担の軽減及びデータドライバから見た容量負荷の安定化を図ることができる。さらに、既存の表示パネルやデータドライバ、走査ドライバをそのまま適用することができるので、表示パネルの全域で輝度階調を均一化して表示画質を向上した表示装置を簡易に実現することができる。
【０１４８】
なお、上述した各実施形態及び各実施例に示した表示装置においては、表示パネルの特定の一端側（図面上方側）にデータドライバを配置し、１行目の走査ラインに接続された表示画素を、直近の配置位置（規格化位置“０”）とし、最終行の走査ラインに接続された表示画素を、最遠方の配置位置（規格化位置“１”）に設定した場合について説明したが、本発明はこれに限定されるものではなく、データドライバを表示パネルの下方側に配置され構成を有するものであってもよいことはいうまでもない。要するに、データドライバの直近に配置された表示画素の位置を規格化位置“０”とし、最遠方に配置された表示画素の位置を規格化位置“１”として、上記補正係数を設定し、該補正係数に基づいて、各表示画素に書き込まれる表示データの書込率を略均一化することができるものであれば他の構成を有するものであってもよい。
【０１４９】
【発明の効果】
以上説明したように、本発明に係る表示駆動装置及び表示装置並びにその駆動制御方法によれば、有機ＥＬ素子等のような電流制御型の発光素子を備えた複数の表示画素を、互いに直交する複数のデータライン及び複数の走査ラインの交点近傍に配置した表示パネルに対して、表示データに応じた階調電流を供給することにより、所望の画像情報を表示する表示装置において、各表示画素への表示データの書込動作に際し、表示パネル上でのデータドライバから当該表示画素までのデータドライバに沿う配置位置に応じて、階調電流の電流値又は電流供給期間、もしくは、各表示画素の選択期間、あるいは、データドライバから見た各表示画素における容量負荷を調整制御（補正）することにより、表示パネルのいずれの位置に配置された表示画素においても、表示データに応じた階調電流によって供給される供給電荷量に対し、表示画素に書き込まれる電荷量の割合（書込率）が一定となる方向に補正することができるので、データドライバからのデータラインに寄生する配線容量や配線抵抗の影響を抑制して、表示パネルの全域で輝度階調を均一化して、表示画質の向上を図ることができる。
【０１５０】
また、上記階調電流の電流値又は電流供給期間、もしくは、各表示画素の選択期間を調整制御する手法としては、表示画素の配置位置と階調電流の供給状態の調整制御に係る補正係数とを関連付けた補正テーブルを備え、表示画素の配置位置に基づいて、該補正テーブルから補正係数を一義的に抽出し、該補正係数を所定の基準値に乗算することにより、階調電流の供給状態を調整制御すること手法を適用することができるので、比較的簡易かつ制御負担の少ない駆動制御方法により、輝度階調の均一化を実現することができる。
【０１５１】
さらに、各行の表示画素に上記階調電流を供給する動作に先立って、各データライン及び表示画素に所定電圧を有するリセット信号を印加して、データラインや表示画素に保持されている電荷を放電させるリセット動作を実行するものであってもよく、これによれば、各表示画素への表示データの書込動作に際し、常に一定の初期化状態に設定された表示画素に対して、上記階調電流が供給されることになるので、各表示画素に表示データに適切に対応した電荷が蓄積され、発光素子を適切な輝度階調で発光動作させることができる。
【図面の簡単な説明】
【図１】本発明に係る表示装置の基本構成を示す概略ブロック図である。
【図２】本発明に係る表示装置の要部構成を示す概略構成図である。
【図３】本発明に係る表示装置に適用可能な表示画素（発光駆動回路）の具体回路例を示す回路構成図である。
【図４】本実施例に係る発光駆動回路の動作状態を示す概念図である。
【図５】本実施例に係る発光駆動回路を適用した表示画素の基本動作を示すタイミングチャ−トである。
【図６】本実施例に係る表示画素を適用した表示装置の一構成例を示す概略ブロック図である。
【図７】本発明に係る表示装置の第１の実施形態に適用可能なデータドライバを示す概略ブロック図である。
【図８】本実施形態に係るデータドライバに適用可能な電圧電流変換・電流供給回路の一例を示す回路構成図である。
【図９】本実施形態に係るデータドライバに適用可能な電流値補正回路における補正処理のための特性曲線を示す図である。
【図１０】本実施形態に係る表示装置における画像情報の表示タイミングを示すタイミングチャ−トである。
【図１１】本発明に係る表示装置の第２の実施形態に適用可能なデータドライバの一構成例を示す概略ブロック図である。
【図１２】本実施例に係る表示装置における画像情報の表示タイミングを示すタイミングチャ−トである。
【図１３】本発明に係る表示装置の第２の実施形態に適用可能なデータドライバの他の構成例を示す概略ブロック図である。
【図１４】本実施例に係る表示装置における画像情報の表示タイミングを示すタイミングチャ−トである。
【図１５】本発明に係る表示装置の第２の実施形態に適用可能なデータドライバのさらに他の構成例を示す概略ブロック図である。
【図１６】本発明に係る表示装置の第３の実施形態に適用可能な表示パネル（表示画素）の一構成例を示す概略構成図である。
【図１７】本発明に係る表示装置の第３の実施形態に適用可能な表示パネル（表示画素）の他の構成例を示す概略構成図である。
【図１８】従来技術における発光素子型ディスプレイに適用される表示画素の構成例を示す等価回路図である。
【図１９】表示パネルにおける表示画素の配置位置とデータラインの配線長の関係を示す概略構成図である。
【図２０】表示パネルにおける表示画素の配置位置（規格化位置）と表示データの書込率との関係をシミュレーション結果である。
【図２１】表示パネルの特定の位置（規格化位置“０”及び規格化位置“１”）に配置された表示画素における入力電流（規格化電流）に対する出力輝度（規格化輝度）の関係を示すシミュレーション結果である。
【符号の説明】
１００      表示装置
１１０      表示パネル
１２０      走査ドライバ
１３０      データドライバ
１４０      システムコントローラ
１５０      表示信号生成回路
１６０      電源ドライバ
ＥＭ        表示画素
ＤＣ        発光駆動回路
ＳＬ        走査ライン
ＤＬ        データライン
【図１】
2004341267.tif 000003
【図２】
2004341267.tif 000004
【図３】
2004341267.tif 000005
【図４】
2004341267.tif 000006
【図５】
2004341267.tif 000007
【図６】
2004341267.tif 000008
【図７】
2004341267.tif 000009
【図８】
2004341267.tif 000010
【図９】
2004341267.tif 000011
【図１０】
2004341267.tif 000012
【図１１】
2004341267.tif 000013
【図１２】
2004341267.tif 000014
【図１３】
2004341267.tif 000015
【図１４】
2004341267.tif 000016
【図１５】
2004341267.tif 000017
【図１６】
2004341267.tif 000018
【図１７】
2004341267.tif 000019
【図１８】
2004341267.tif 000020
【図１９】
2004341267.tif 000021
【図２０】
2004341267.tif 000022
【図２１】
2004341267.tif 000023